(57)【要約】【課題】音声処理部をＮ＋１構成としたにも関わらず、ＩＰ網側に対して最低２つのアドレスを使用する構成を実現すること。【解決手段】複数の正常運用中の音声処理部５１、５２と１つの待機中（予備）音声処理部５３を有する音声通信システムにおいて、各機能部の使用状態を管理する呼処理制御部３０からの指示を受け、ＩＰ網対応部６０が、音声処理部５１，５２，５３、呼処理制御部３０の複数のＩＰアドレスを自身のＩＰ網２側のＩＰアドレスに切り替えることにより、ＩＰ網側に対して最低２つのアドレスしか使用しない構成を実現する。音声通信時において、運用中の音声処理部５１の故障が発生した場合には、呼処理制御部３０が予備の音声処理部５３を音声処理部５１の代替として設定し、音声処理部５３のＩＰアドレスとＩＰ網対応部６０のＩＰ網側のＩＰアドレスとを切り替えて、音声通信を確保する。【選択図】図１
2011182205.tif 000002
【特許請求の範囲】
【請求項１】
ＩＰ網を利用したユーザ端末間の音声通信において、前記ユーザ端末と前記ＩＰ網に接続し、予備の音声処理部を含み、音声信号をＩＰ信号に変換する複数の音声処理部と、前記ユーザ端末から音声信号を受信するユーザ回線対応部と、前記ユーザ回線対応部から送信された音声信号を前記音声処理部に振り分ける振り分け部と、前記音声処理部と前記ＩＰ網とを接続するＩＰ網対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、
前記呼処理制御部が前記ユーザ端末から音声通信の呼接続の要求を受け、当該呼に使用する前記ユーザ回線対応部、送信先ＩＰアドレス、送信先ポート番号、送信元ポート番号を音声呼情報として取得するステップと、
前記呼処理制御部が、前記音声処理部の使用状態を参照し、未使用の音声処理部とチャネル番号を、当該呼の音声通信に使用する音声処理部とチャネル番号として決定するステップと、
前記呼処理制御部が、前記当該呼に使用する音声処理部とチャネル番号の情報を、前記音声処理部の使用状態に追加して記憶するステップと、
前記呼処理制御部が、前記当該呼に使用する音声処理部とチャネル番号と前記当該呼に使用する音声処理部のＩＰアドレス、当該呼に使用する前記振り分け部、当該呼に使用する前記ＩＰ網対応部の情報を、前記音声呼情報に追加して記憶するステップと、
前記呼処理制御部が、前記当該呼に使用するＩＰ網対応部に対して、前記音声呼情報のうちの前記当該呼に使用する音声処理部のＩＰアドレス、前記送信元ポート番号を通知するステップと、
前記呼処理制御部が、前記当該呼に使用する振り分け部に対して、前記音声呼情報のうちの前記当該呼に使用するユーザ回線対応部、前記当該呼に使用する音声処理部とチャネル番号を通知するステップと、
前記呼処理制御部が、前記当該呼に使用する音声処理部に対して、前記音声呼情報を通知するステップと、
前記当該呼に使用する振り分け部が、前記通知された当該呼に使用する前記ユーザ回線対応部と前記音声処理部とを接続し、前記音声信号を、前記通知されたチャネルで前記音声処理部に送信するステップと、
前記当該呼に使用する音声処理部が、前記振り分け部から受信した前記音声信号をＲＴＰ信号に変換し、前記通知された音声呼情報に含まれる前記送信先ＩＰアドレス、前記送信先ポート番号、前記通知された音声処理部のＩＰアドレス、前記送信元ポート番号を加えて前記ＩＰ信号に変換し、前記ＩＰ網対応部に送信するステップと、
前記当該呼に使用するＩＰ網対応部が、前記通知された音声処理部のＩＰアドレスを前記ＩＰ網側の自身のＩＰアドレスに変換して、前記ＩＰ信号を前記ＩＰ網に送信するステップと、
を備えることを特徴とするＮ＋１構成での音声処理部における切替方法。
【請求項２】
ＩＰ網を利用したユーザ端末間の音声通信において、前記ユーザ端末と前記ＩＰ網に接続し、予備の音声処理部を含み、ＩＰ信号を音声信号に変換する複数の音声処理部と、前記ＩＰ網から受信したＩＰ信号を前記音声処理部に送信するＩＰ網対応部と、前記音声処理部から前記音声信号を受信する振り分け部と、前記振り分け部から前記音声信号を受信して前記ユーザ端末に送信するユーザ回線対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、
前記呼処理制御部が、前記ユーザ端末から音声通信の呼接続の要求を受け、当該呼に使用する前記ユーザ回線対応部、宛先ポート番号、送信元ＩＰアドレス、送信元ポート番号を音声呼情報として取得するステップと、
前記呼処理制御部が、前記音声処理部の使用状態を参照し、未使用の音声処理部とチャネル番号を、当該呼に使用する音声処理部とチャネル番号として決定するステップと、
前記呼処理制御部が、前記当該呼に使用する音声処理部とチャネル番号の情報を、前記音声処理部の使用状態に追加して記憶するステップと、
前記呼処理制御部が、前記当該呼に使用する音声処理部とチャネル番号と当該呼に使用する音声処理部のＩＰアドレス、当該呼に使用する前記振り分け部、当該呼に使用する前記ＩＰ網対応部の情報を、前記音声呼情報に追加して記憶するステップと、
前記呼処理制御部が、前記当該呼に使用するＩＰ網対応部に対して、前記音声呼情報のうちの当該呼に使用する前記音声処理部のＩＰアドレス、前記宛先ポート番号を通知するステップと、
前記呼処理制御部が、前記当該呼に使用する振り分け部に対して、前記音声呼情報のうちの前記当該呼に使用するユーザ回線対応部、前記当該呼に使用する音声処理部とチャネル番号を通知するステップと、
前記呼処理制御部が、前記当該呼に使用する音声処理部に対して、前記音声呼情報を通知するステップと、
前記当該呼に使用するＩＰ網対応部が、前記ＩＰ信号の宛先ＩＰアドレスを前記通知された音声処理部のＩＰアドレスに変換して、前記ＩＰ信号を前記通知された音声処理部に送信するステップと、
前記当該呼に使用する音声処理部が、前記ＩＰ網対応部から受信したＩＰ信号を音声信号に変換し、前記通知されたチャネルで前記当該呼に使用する振り分け部に送信するステップと、
前記当該呼に使用する振り分け部が、前記通知された当該呼に使用する前記ユーザ回線対応部に前記音声信号を送信するステップと、
前記当該呼に使用するユーザ回線対応部が、前記ユーザ端末に前記音声信号を送信するステップと、
を備えることを特徴とするＮ＋１構成での音声処理部における切替方法。
【請求項３】
ＩＰ網を利用したユーザ端末間の音声通信において、前記ユーザ端末と前記ＩＰ網に接続し、予備の音声処理部を含み、音声信号をＩＰ信号に変換する複数の音声処理部と、前記ユーザ端末から音声信号を受信するユーザ回線対応部と、前記ユーザ回線対応部から送信された音声信号を前記音声処理部に振り分ける振り分け部と、前記音声処理部と前記ＩＰ網とを接続するＩＰ網対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、
前記音声通信に使用する前記ユーザ回線対応部と、前記振り分け部、前記音声処理部、チャネル番号、送信先ＩＰアドレス、送信先ポート番号、前記音声処理部のＩＰアドレス、送信元ポート番号、前記ＩＰ網対応部を記憶した音声呼情報に従って行う音声通信において、前記音声処理部が故障した場合、
前記呼処理制御部が、前記故障した音声処理部に関する故障通知情報を受け付けるステップと、
前記呼処理制御部が、前記故障通知情報を参照し、前記故障した音声処理部の使用状態を前記予備の音声処理部に移し、前記故障した音声処理部の使用状態を使用から未使用に変更して記憶するステップと、
前記呼処理制御部が、前記故障した音声処理部を使用する呼に関する前記音声呼情報を取得するステップと、
前記呼処理制御部が、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶するステップと、
前記呼処理制御部が、前記当該呼に使用するＩＰ網対応部に対して、前記音声呼情報のうち、前記予備の音声処理部のＩＰアドレス、前記送信元ポート番号を通知するステップと、
前記呼処理制御部が、前記当該呼に使用する振り分け部に対して、前記音声呼情報のうち、使用する前記ユーザ回線対応部、前記予備の音声処理部、前記チャネル番号を通知するステップと、
前記呼処理制御部が、前記予備の音声処理部に対して、前記音声呼情報を通知するステップと、
前記当該呼に使用する振り分け部が、前記通知された使用する前記ユーザ回線対応部と前記予備の音声処理部とを接続し、前記音声信号を、前記通知されたチャネルで前記予備の音声処理部に送信するステップと、
前記予備の音声処理部が、前記振り分け部から受信した前記音声信号をＲＴＰ信号に変換し、前記通知された音声呼情報に含まれる前記送信先ＩＰアドレス、前記送信先ポート番号、前記予備の音声処理部のＩＰアドレス、前記送信元ポート番号を加えて前記ＩＰ信号に変換し、前記ＩＰ網対応部に送信するステップと、
前記当該呼に使用するＩＰ網対応部が、前記予備の音声処理部のＩＰアドレスを前記ＩＰ網側の自身のＩＰアドレスに変換して、前記ＩＰ信号を前記ＩＰ網に送信するステップと、
を備えることを特徴とするＮ＋１構成での音声処理部における切替方法。
【請求項４】
ＩＰ網を利用したユーザ端末間の音声通信において、前記ユーザ端末と前記ＩＰ網に接続し、予備の音声処理部を含み、ＩＰ信号を音声信号に変換する複数の音声処理部と、前記ＩＰ網から受信したＩＰ信号を前記音声処理部に送信するＩＰ網対応部と、前記音声処理部から前記音声信号を受信する振り分け部と、前記振り分け部から前記音声信号を受信して前記ユーザ端末に送信するユーザ回線対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、
前記音声通信に使用する前記ユーザ回線対応部と、前記振り分け部、前記音声処理部、チャネル番号、送信元ＩＰアドレス、送信元ポート番号、前記音声処理部のＩＰアドレス、宛先ポート番号、前記ＩＰ網対応部を記憶した音声呼情報に従って行う音声通信において、前記音声処理部が故障した場合、
前記呼処理制御部が、前記故障した音声処理部に関する故障通知情報を受け付けるステップと、
前記呼処理制御部が、前記故障通知情報を参照し、前記故障した音声処理部の使用状態を前記予備の音声処理部に移し、前記故障した音声処理部の使用状態を使用から未使用に変更して記憶するステップと、
前記呼処理制御部が、前記故障した音声処理部を使用する呼に関する前記音声呼情報を取得するステップと、
前記呼処理制御部が、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶するステップと、
前記呼処理制御部が、前記当該呼に使用するＩＰ網対応部に対して、前記音声呼情報のうち、前記予備の音声処理部のＩＰアドレス、前記宛先ポート番号を通知するステップと、
前記呼処理制御部が、前記当該呼に使用する振り分け部に対して、前記音声呼情報のうち、使用する前記ユーザ回線対応部、前記予備の音声処理部、前記チャネル番号を通知するステップと、
前記呼処理制御部が、前記予備の音声処理部に対して、前記音声呼情報を通知するステップと、
前記当該呼に使用するＩＰ網対応部が、前記ＩＰ信号の宛先ＩＰアドレスを前記予備の音声処理部のＩＰアドレスに変換して、前記ＩＰ信号を前記予備の音声処理部に送信するステップと、
前記予備の音声処理部が、前記ＩＰ網対応部から受信したＩＰ信号を音声信号に変換し、前記通知されたチャネルで前記当該呼に使用する振り分け部に送信するステップと、
前記当該呼に使用する振り分け部が、前記通知された当該呼に使用する前記ユーザ回線対応部に前記音声信号を送信するステップと、
前記当該呼に使用するユーザ回線対応部が、前記ユーザ端末に前記音声信号を送信するステップと、
を備えることを特徴とするＮ＋１構成での音声処理部における切替方法。
【請求項５】
前記故障通知情報は、前記ＩＰ網対応部が、前記音声処理部から送信されるＩＰ信号を監視し、ＩＰ信号が途絶えた場合に、当該音声処理部が故障したものとして前記呼処理制御部に通知することを特徴とする請求項３または請求項４に記載されたＮ＋１構成での音声処理部における切替方法。
【請求項６】
前記呼処理制御部が、前記ユーザ端末から音声通信の呼切断の要求を受けると、当該呼の音声呼情報を取得するステップと、
前記呼処理制御部が、前記取得した当該呼の音声呼情報に従って、当該音声呼に使用される音声処理部、振り分け部、ＩＰ網対応部に、当該呼の解除を通知するステップと、
当該呼の解除を通知された前記振り分け部が、当該呼に使用される前記ユーザ回線対応部と前記音声処理部との接続を解放するステップと、
当該呼の解除を通知された音声処理部が、前記音声信号と前記ＩＰ信号との変換処理を停止するステップと、
当該呼の解除を通知された前記ＩＰ網対応部が、当該呼に使用された前記音声処理部のＩＰアドレスと前記ＩＰ網側の自身のＩＰアドレスとの変換を停止するステップと、
前記呼処理制御部が、当該呼の前記音声呼情報を削除するステップと、
をさらに備えることを特徴とする請求項１から請求項４のいずれかに記載されたＮ＋１構成での音声処理部における切替方法。
【請求項７】
ユーザ端末と、前記ユーザ端末とＩＰ網に接続するユーザ収容装置を備え、前記ユーザ端末間で前記ＩＰ網を利用した音声通信を実現する音声通信システムであって、
前記ユーザ収容装置は、
予備の音声処理部を含み、音声信号をＩＰ信号に変換する複数の音声処理部と、
前記ユーザ端末から音声信号を受信するユーザ回線対応部と、
前記ユーザ回線対応部から送信された音声信号を前記音声処理部に振り分ける振り分け部と、
前記音声処理部と前記ＩＰ網とを接続するＩＰ網対応部と、
呼処理の制御を行い、前記呼処理の音声呼情報と、前記音声処理部、前記ＩＰ網対応部、前記振り分け部の各部の使用状態とを記憶する呼処理制御部と、
を備え、
前記呼処理制御部は、前記ユーザ端末から音声通信の呼接続の要求を受け、当該呼に使用する前記ユーザ回線対応部、送信先ＩＰアドレス、送信先ポート番号、送信元ポート番号を音声呼情報として取得し、前記音声処理部の使用状態を参照し、未使用の音声処理部とチャネル番号を、当該呼の音声通信に使用する音声処理部とチャネル番号として決定し、前記当該呼に使用する音声処理部とチャネル番号の情報を、前記音声処理部の使用状態に追加して記憶し、前記当該呼に使用する音声処理部とチャネル番号と当該呼に使用する前記音声処理部のＩＰアドレス、当該呼に使用する前記振り分け部、当該呼に使用する前記ＩＰ網対応部の情報を、前記音声呼情報に追加して記憶し、前記当該呼に使用するＩＰ網対応部に対して、前記音声呼情報のうちの前記当該呼に使用する音声処理部のＩＰアドレス、前記送信元ポート番号を通知し、前記当該呼に使用する振り分け部に対して、前記音声呼情報のうちの前記当該呼に使用するユーザ回線対応部、前記当該呼に使用する音声処理部とチャネル番号を通知し、前記当該呼に使用する音声処理部に対して、前記音声呼情報を通知し、
前記当該呼に使用する振り分け部が、前記通知された当該呼に使用する前記ユーザ回線対応部と前記音声処理部とを接続し、前記音声信号を、前記通知されたチャネルで前記音声処理部に送信し、
前記当該呼に使用する音声処理部が、前記振り分け部から受信した前記音声信号をＲＴＰ信号に変換し、前記通知された音声呼情報に含まれる前記送信先ＩＰアドレス、前記送信先ポート番号、前記通知された音声処理部のＩＰアドレス、前記送信元ポート番号を加えて前記ＩＰ信号に変換し、前記ＩＰ網対応部に送信し、
前記当該呼に使用するＩＰ網対応部が、前記通知された音声処理部のＩＰアドレスを前記ＩＰ網側の自身のＩＰアドレスに変換して、前記ＩＰ信号を前記ＩＰ網に送信することを特徴とする音声通信システム。
【請求項８】
ユーザ端末と、前記ユーザ端末とＩＰ網に接続するユーザ収容装置を備え、前記ユーザ端末間で前記ＩＰ網を利用した音声通信を実現する音声通信システムであって、
前記ユーザ収容装置は、
予備の音声処理部を含み、ＩＰ信号を音声信号に変換する複数の音声処理部と、
前記ＩＰ網から受信したＩＰ信号を前記音声処理部に送信するＩＰ網対応部と、
前記音声処理部から前記音声信号を受信する振り分け部と、
前記振り分け部から前記音声信号を受信して前記ユーザ端末に送信するユーザ回線対応部と、
呼処理の制御を行い、前記呼処理の音声呼情報と、前記音声処理部、前記ＩＰ網対応部、前記振り分け部の各部の使用状態とを記憶する呼処理制御部と、
を備え、  
前記呼処理制御部は、前記ユーザ端末から音声通信の呼接続の要求を受け、当該呼に使用する前記ユーザ回線対応部、宛先ポート番号、送信元ＩＰアドレス、送信元ポート番号を音声呼情報として取得し、前記音声処理部の使用状態を参照し、未使用の音声処理部とチャネル番号を、当該呼に使用する音声処理部とチャネル番号として決定し、前記当該呼に使用する音声処理部とチャネル番号の情報を、前記音声処理部の使用状態に追加して記憶し、前記当該呼に使用する音声処理部とチャネル番号と当該呼に使用する音声処理部のＩＰアドレス、当該呼に使用する前記振り分け部、当該呼に使用する前記ＩＰ網対応部の情報を、前記音声呼情報に追加して記憶し、前記当該呼に使用するＩＰ網対応部に対して、前記音声呼情報のうちの当該呼に使用する前記音声処理部のＩＰアドレス、前記宛先ポート番号を通知し、前記当該呼に使用する振り分け部に対して、前記音声呼情報のうちの前記当該呼に使用するユーザ回線対応部、前記当該呼に使用する音声処理部とチャネル番号を通知し、前記当該呼に使用する音声処理部に対して、前記音声呼情報を通知し、
前記当該呼に使用するＩＰ網対応部は、前記ＩＰ信号の宛先ＩＰアドレスを前記通知された音声処理部のＩＰアドレスに変換して、前記ＩＰ信号を前記通知された音声処理部に送信し、
前記当該呼に使用する音声処理部は、前記ＩＰ網対応部から受信したＩＰ信号を音声信号に変換し、前記通知されたチャネルで前記当該呼に使用する振り分け部に送信し、
前記当該呼に使用する振り分け部は、前記通知された当該呼に使用する前記ユーザ回線対応部に前記音声信号を送信し、
前記当該呼に使用するユーザ回線対応部は、前記ユーザ端末に前記音声信号を送信することを特徴とする音声通信システム。
【請求項９】
ユーザ端末と、前記ユーザ端末とＩＰ網に接続するユーザ収容装置を備え、前記ユーザ端末間で前記ＩＰ網を利用した音声通信を実現する音声通信システムであって、
前記ユーザ収容装置は、
予備の音声処理部を含み、音声信号をＩＰ信号に変換する複数の音声処理部と、
前記ユーザ端末から音声信号を受信するユーザ回線対応部と、
前記ユーザ回線対応部から送信された音声信号を前記音声処理部に振り分ける振り分け部と、
前記音声処理部と前記ＩＰ網とを接続するＩＰ網対応部と、
呼処理の制御を行い、前記呼処理の音声呼情報と、前記音声処理部、前記ＩＰ網対応部、前記振り分け部の各部の使用状態とを記憶する呼処理制御部と、
を備え、
前記音声通信に使用する前記ユーザ回線対応部と、前記振り分け部、前記音声処理部、チャネル番号、送信先ＩＰアドレス、送信先ポート番号、前記音声処理部のＩＰアドレス、送信元ポート番号、前記ＩＰ網対応部を記憶した音声呼情報に従って行う音声通信において、前記音声処理部が故障した場合、
前記呼処理制御部は、前記故障した音声処理部に関する故障通知情報を受け付け、前記故障通知情報を参照し、前記故障した音声処理部の使用状態を前記予備の音声処理部に移し、前記故障した音声処理部の使用状態を使用から未使用に変更して記憶し、前記故障した音声処理部を使用する呼に関する前記音声呼情報を取得し、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶し、当該呼に使用する前記ＩＰ網対応部に対して、前記音声呼情報のうち、前記予備の音声処理部のＩＰアドレス、前記送信元ポート番号を通知し、当該呼に使用する前記振り分け部に対して、前記音声呼情報のうち、使用する前記ユーザ回線対応部、前記予備の音声処理部、前記チャネル番号を通知し、前記予備の音声処理部に対して、前記音声呼情報を通知し、
前記当該呼に使用する振り分け部は、前記通知された使用する前記ユーザ回線対応部と前記予備の音声処理部とを接続し、前記音声信号を、前記通知されたチャネルで前記予備の音声処理部に送信し、
前記予備の音声処理部は、前記振り分け部から受信した前記音声信号をＲＴＰ信号に変換し、前記通知された音声呼情報に含まれる前記送信先ＩＰアドレス、前記送信先ポート番号、前記予備の音声処理部のＩＰアドレス、前記送信元ポート番号を加えて前記ＩＰ信号に変換し、前記ＩＰ網対応部に送信し、
前記当該呼に使用するＩＰ網対応部は、前記予備の音声処理部のＩＰアドレスを前記ＩＰ網側の自身のＩＰアドレスに変換して、前記ＩＰ信号を前記ＩＰ網に送信することを特徴とする音声通信システム。
【請求項１０】
ユーザ端末と、前記ユーザ端末とＩＰ網に接続するユーザ収容装置を備え、前記ユーザ端末間で前記ＩＰ網を利用した音声通信を実現する音声通信システムであって、
前記ユーザ収容装置は、
予備の音声処理部を含み、ＩＰ信号を音声信号に変換する複数の音声処理部と、
前記ＩＰ網から受信したＩＰ信号を前記音声処理部に送信するＩＰ網対応部と、
前記音声処理部から前記音声信号を受信する振り分け部と、
前記振り分け部から前記音声信号を受信して前記ユーザ端末に送信するユーザ回線対応部と、
呼処理の制御を行い、前記呼処理の音声呼情報と、前記音声処理部、前記ＩＰ網対応部、前記振り分け部の各部の使用状態とを記憶する呼処理制御部と、
を備え、  
前記音声通信に使用する前記ユーザ回線対応部と、前記振り分け部、前記音声処理部、チャネル番号、送信元ＩＰアドレス、送信元ポート番号、前記音声処理部のＩＰアドレス、宛先ポート番号、前記ＩＰ網対応部を記憶した音声呼情報に従って行う音声通信において、前記音声処理部が故障した場合、
前記呼処理制御部は、前記故障した音声処理部に関する故障通知情報を受け付け、前記故障通知情報を参照し、前記故障した音声処理部の使用状態を前記予備の音声処理部に移し、前記故障した音声処理部の使用状態を使用から未使用に変更して記憶し、前記故障した音声処理部を使用する呼に関する前記音声呼情報を取得し、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶し、前記当該呼に使用するＩＰ網対応部に対して、前記音声呼情報のうち、前記予備の音声処理部のＩＰアドレス、前記宛先ポート番号を通知し、前記当該呼に使用する振り分け部に対して、前記音声呼情報のうち、使用する前記ユーザ回線対応部、前記予備の音声処理部、前記チャネル番号を通知し、前記予備の音声処理部に対して、前記音声呼情報を通知し、
前記当該呼に使用するＩＰ網対応部は、前記ＩＰ信号の宛先ＩＰアドレスを前記予備の音声処理部のＩＰアドレスに変換して、前記ＩＰ信号を前記予備の音声処理部に送信し、
前記予備の音声処理部は、前記ＩＰ網対応部から受信したＩＰ信号を音声信号に変換し、前記通知されたチャネルで前記当該呼に使用する振り分け部に送信し、
前記当該呼に使用する振り分け部は、前記通知された当該呼に使用する前記ユーザ回線対応部に前記音声信号を送信し、
前記当該呼に使用するユーザ回線対応部は、前記ユーザ端末に前記音声信号を送信することを特徴とする音声通信システム。
【請求項１１】
前記故障通知情報は、前記ＩＰ網対応部が、前記音声処理部から送信されるＩＰ信号を監視し、ＩＰ信号が途絶えた場合に、当該音声処理部が故障したものとして前記呼処理制御部に通知することを特徴とする請求項９または請求項１０に記載された音声通信システム。
【請求項１２】
前記呼処理制御部は、前記ユーザ端末から音声通信の呼切断の要求を受けると、当該呼の音声呼情報を取得し、前記取得した当該呼の音声呼情報に従って、当該音声呼に使用される音声処理部、振り分け部、ＩＰ網対応部に当該呼の解除を通知し、
当該呼の解除を通知された前記振り分け部は、当該呼に使用される前記ユーザ回線対応部と前記音声処理部との接続を解放し、
当該呼の解除を通知された音声処理部は、前記音声信号と前記ＩＰ信号との変換処理を停止し、
当該呼の解除を通知された前記ＩＰ網対応部は、当該呼に使用された前記音声処理部のＩＰアドレスと前記ＩＰ網側の自身のＩＰアドレスとの変換を停止し、
前記呼処理制御部は、当該呼の前記音声呼情報を削除することを特徴とする請求項７から請求項１０のいずれかに記載された音声通信システム。
【発明の詳細な説明】
【技術分野】
【０００１】
本発明は、ＩＰ（Internet Protocol）網を介して音声通信を行うシステムで使用される音声信号をＩＰ信号に変換する装置、端末における音声処理部の切替技術に関する。
【背景技術】
【０００２】
ＩＰ網を使用した音声通信システムにおいて、音声信号をＩＰ信号に変換する装置、端末に音声処理部を複数搭載し、音声処理部の故障時、工事時におけるサービス継続性を保つ方法として次の２つが実現されている。その１つの方法として、正常系、異常系（予備系）の２つの音声処理部を搭載し、正常系が異常時には異常系（予備系）にアドレスを含めて情報を引き継ぐ構成（ＡＣＴ／ＳＢＹ構成）を用いる方法がある。また、もう一つの方法として、１つの異常系（予備系）を含む複数の音声処理部を搭載し、正常系が異常時には異常系（予備系）に動作を引き継ぐ構成（Ｎ＋１構成）を用いる方法がある。
【先行技術文献】
【特許文献】
【０００３】
【特許文献１】特開２００５−５７４６１号公報
【発明の概要】
【発明が解決しようとする課題】
【０００４】
しかしながら、前記のＮ＋１構成は音声処理部の需要に応じて、搭載数を変更することにより効率の良い音声処理部の利用が可能となるが、アドレス数は最低でも音声処理部の数だけ必要になるため、アドレスの数が限られた場合には適用できないという問題がある。
一方、ＡＣＴ／ＳＢＹ構成は必要なアドレスは最低２つで実現可能であるが、音声処理部は需要に応じて増やすことが出来ないという問題がある。
現状、利用できるアドレス数が限られている環境が存在するため、そのような環境下では、アドレスの使用数は少なくおさえることが望まれる。一方、コストの観点からは音声処理部の効率の良い使用も合わせて望まれる。よって、両観点を満足できるシステムの実現が必要となっている。
【０００５】
本発明は、以上の点に鑑みてなされたものであり、音声信号をＩＰ信号に変換する装置において、予備の音声処理部を含めた複数の音声処理部と前記音声処理部と前記ＩＰ網に接続する２つのＩＰ網対応部を備え、呼接続の要求があった場合に、複数の音声処理部のうち使用する音声処理部のＩＰアドレスを、使用するＩＰ網対応部のＩＰ網側のＩＰアドレスに変換することで、ＩＰ網側に対するアドレスを最小限に抑える構成を実現する音声処理部における切替方法、及びその切替方法を利用した音声通信システムを提供することを目的とする。
【０００６】
また、本発明は、音声信号をＩＰ信号に変換する装置において、予備の音声処理部を含めた複数の音声処理部と前記音声処理部と前記ＩＰ網に接続する２つのＩＰ網対応部を備え、音声通信中に音声処理部が故障した場合、使用している音声処理部から予備の音声処理部に切り替え、予備の音声処理部のＩＰアドレスを使用するＩＰ網対応部のＩＰ網側のＩＰアドレスに変換することで、音声通信を切断することなく、ＩＰ網側に対するアドレスを最小限に抑える構成を実現する音声処理部における切替方法、及びその切替方法を利用した音声通信システムを提供することを目的とする。
【課題を解決するための手段】
【０００７】
前述した目的を達成するために本発明は、ＩＰ網を利用したユーザ端末間の音声通信において、前記ユーザ端末と前記ＩＰ網に接続し、予備の音声処理部を含み、音声信号をＩＰ信号に変換する複数の音声処理部と、前記ユーザ端末から音声信号を受信するユーザ回線対応部と、前記ユーザ回線対応部から送信された音声信号を前記音声処理部に振り分ける振り分け部と、前記音声処理部と前記ＩＰ網とを接続するＩＰ網対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、前記呼処理制御部が前記ユーザ端末から音声通信の呼接続の要求を受け、当該呼に使用する前記ユーザ回線対応部、送信先ＩＰアドレス、送信先ポート番号、送信元ポート番号を音声呼情報として取得するステップと、前記呼処理制御部が、前記音声処理部の使用状態を参照し、未使用の音声処理部とチャネル番号を、当該呼の音声通信に使用する音声処理部とチャネル番号として決定するステップと、前記呼処理制御部が、前記当該呼に使用する音声処理部とチャネル番号の情報を、前記音声処理部の使用状態に追加して記憶するステップと、前記呼処理制御部が、前記当該呼に使用する音声処理部とチャネル番号と前記当該呼に使用する音声処理部のＩＰアドレス、当該呼に使用する前記振り分け部、当該呼に使用する前記ＩＰ網対応部の情報を、前記音声呼情報に追加して記憶するステップと、前記呼処理制御部が、前記当該呼に使用するＩＰ網対応部に対して、前記音声呼情報のうちの当該呼に使用する前記音声処理部のＩＰアドレス、前記送信元ポート番号を通知するステップと、前記呼処理制御部が、前記当該呼に使用する振り分け部に対して、前記音声呼情報のうちの前記当該呼に使用するユーザ回線対応部、前記当該呼に使用する音声処理部とチャネル番号を通知するステップと、前記呼処理制御部が、前記当該呼に使用する音声処理部に対して、前記音声呼情報を通知するステップと、前記当該呼に使用する振り分け部が、前記通知された当該呼に使用する前記ユーザ回線対応部と前記音声処理部とを接続し、前記音声信号を、前記通知されたチャネルで前記音声処理部に送信するステップと、前記当該呼に使用する音声処理部が、前記振り分け部から受信した前記音声信号をＲＴＰ信号に変換し、前記通知された音声呼情報に含まれる前記送信先ＩＰアドレス、前記送信先ポート番号、前記通知された音声処理部のＩＰアドレス、前記送信元ポート番号を加えて前記ＩＰ信号に変換し、前記ＩＰ網対応部に送信するステップと、前記当該呼に使用するＩＰ網対応部が、前記通知された音声処理部のＩＰアドレスを前記ＩＰ網側の自身のＩＰアドレスに変換して、前記ＩＰ信号を前記ＩＰ網に送信するステップと、を備えることを特徴とするＮ＋１構成での音声処理部における切替方法である。
【０００８】
本発明では、ユーザ端末からＩＰ網側に対して音声信号を送信する場合、呼処理制御部は、音声処理部の使用状態から当該呼に使用する音声処理部を決定し、当該呼に使用する音声処理部は音声信号をＩＰ信号に変換し、ＩＰ網対応部は、前記ＩＰ信号に含まれる当該呼に使用する音声処理部のＩＰアドレスを自身のＩＰ網側のアドレスに変換して、ＩＰ信号をＩＰ網側に送信する。
本発明によれば、音声処理部が複数ある場合でも、ＩＰ網対応部が、複数の音声処理部のＩＰアドレスを自身のＩＰ網側のＩＰアドレスに変換してＩＰ信号を送信するため、ＩＰ網側に対するＩＰアドレスを最低限に抑えることが可能となる。
【０００９】
また、本発明は、ＩＰ網を利用したユーザ端末間の音声通信において、前記ユーザ端末と前記ＩＰ網に接続し、予備の音声処理部を含み、ＩＰ信号を音声信号に変換する複数の音声処理部と、前記ＩＰ網から受信したＩＰ信号を前記音声処理部に送信するＩＰ網対応部と、前記音声処理部から前記音声信号を受信する振り分け部と、前記振り分け部から前記音声信号を受信して前記ユーザ端末に送信するユーザ回線対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、前記呼処理制御部が、前記ユーザ端末から音声通信の呼接続の要求を受け、当該呼に使用する前記ユーザ回線対応部、宛先ポート番号、送信元ＩＰアドレス、送信元ポート番号を音声呼情報として取得するステップと、前記呼処理制御部が、前記音声処理部の使用状態を参照し、未使用の音声処理部とチャネル番号を、当該呼に使用する音声処理部とチャネル番号として決定するステップと、前記呼処理制御部が、前記当該呼に使用する音声処理部とチャネル番号の情報を、前記音声処理部の使用状態に追加して記憶するステップと、前記呼処理制御部が、前記当該呼に使用する音声処理部とチャネル番号と当該呼に使用する音声処理部のＩＰアドレス、当該呼に使用する前記振り分け部、当該呼に使用する前記ＩＰ網対応部の情報を、前記音声呼情報に追加して記憶するステップと、前記呼処理制御部が、前記当該呼に使用するＩＰ網対応部に対して、前記音声呼情報のうちの当該呼に使用する前記音声処理部のＩＰアドレス、前記宛先ポート番号を通知するステップと、前記呼処理制御部が、前記当該呼に使用する振り分け部に対して、前記音声呼情報のうちの前記当該呼に使用するユーザ回線対応部、前記当該呼に使用する音声処理部とチャネル番号を通知するステップと、前記呼処理制御部が、前記当該呼に使用する音声処理部に対して、前記音声呼情報を通知するステップと、前記当該呼に使用するＩＰ網対応部が、前記ＩＰ信号の宛先ＩＰアドレスを前記通知された音声処理部のＩＰアドレスに変換して、前記ＩＰ信号を前記通知された音声処理部に送信するステップと、前記当該呼に使用する音声処理部が、前記ＩＰ網対応部から受信したＩＰ信号を音声信号に変換し、前記通知されたチャネルで前記当該呼に使用する振り分け部に送信するステップと、前記当該呼に使用する振り分け部が、前記通知された当該呼に使用する前記ユーザ回線対応部に前記音声信号を送信するステップと、前記当該呼に使用するユーザ回線対応部が、前記ユーザ端末に前記音声信号を送信するステップと、を備えることを特徴とするＮ＋１構成での音声処理部における切替方法である。
【００１０】
ここで、ＩＰ網側からＩＰ信号が送信された場合、ＩＰ信号に含まれる宛先ＩＰアドレスはＩＰ網対応部のＩＰ網側ＩＰアドレスとなっている。本発明では、呼処理制御部が当該呼に使用する音声処理部を決定し、ＩＰ網対応部は、宛先ＩＰアドレスを、当該呼に使用する音声処理部のＩＰアドレスに変換して、ＩＰ信号を当該呼に使用する音声処理部に送信する。音声処理部は、送信されたＩＰ信号を音声信号に変換し、音声信号は当該呼に使用される振り分け部、ユーザ回線対応部を介してユーザ端末に送信され、ＩＰ網側からの音声通信が実現する。
本発明によれば、ＩＰ網対応部が、ＩＰ信号の宛先ＩＰアドレスである自身のＩＰ網側のＩＰアドレスを、複数の音声処理部のうち当該呼に使用する音声処理部のＩＰアドレスに変換して切り替えるため、音声処理部が複数ある場合でもＩＰ網側に対するＩＰアドレスを最低限に抑えることが可能となる。
【００１１】
また、本発明は、ＩＰ網を利用したユーザ端末間の音声通信において、前記ユーザ端末と前記ＩＰ網に接続し、予備の音声処理部を含み、音声信号をＩＰ信号に変換する複数の音声処理部と、前記ユーザ端末から音声信号を受信するユーザ回線対応部と、前記ユーザ回線対応部から送信された音声信号を前記音声処理部に振り分ける振り分け部と、前記音声処理部と前記ＩＰ網とを接続するＩＰ網対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、前記音声通信に使用する前記ユーザ回線対応部と、前記振り分け部、前記音声処理部、チャネル番号、送信先ＩＰアドレス、送信先ポート番号、前記音声処理部のＩＰアドレス、送信元ポート番号、前記ＩＰ網対応部を記憶した音声呼情報に従って行う音声通信において、前記音声処理部が故障した場合、前記呼処理制御部が、前記故障した音声処理部に関する故障通知情報を受け付けるステップと、前記呼処理制御部が、前記故障通知情報を参照し、前記故障した音声処理部の使用状態を前記予備の音声処理部に移し、前記故障した音声処理部の使用状態を使用から未使用に変更して記憶するステップと、前記呼処理制御部が、前記故障した音声処理部を使用する呼に関する前記音声呼情報を取得するステップと、前記呼処理制御部が、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶するステップと、前記呼処理制御部が、前記当該呼に使用するＩＰ網対応部に対して、前記音声呼情報のうち、前記予備の音声処理部のＩＰアドレス、前記送信元ポート番号を通知するステップと、前記呼処理制御部が、前記当該呼に使用する振り分け部に対して、前記音声呼情報のうち、使用する前記ユーザ回線対応部、前記予備の音声処理部、前記チャネル番号を通知するステップと、前記呼処理制御部が、前記予備の音声処理部に対して、前記音声呼情報を通知するステップと、前記当該呼に使用する振り分け部が、前記通知された使用する前記ユーザ回線対応部と前記予備の音声処理部とを接続し、前記音声信号を、前記通知されたチャネルで前記予備の音声処理部に送信するステップと、前記予備の音声処理部が、前記振り分け部から受信した前記音声信号をＲＴＰ信号に変換し、前記通知された音声呼情報に含まれる前記送信先ＩＰアドレス、前記送信先ポート番号、前記予備の音声処理部のＩＰアドレス、前記送信元ポート番号を加えて前記ＩＰ信号に変換し、前記ＩＰ網対応部に送信するステップと、前記当該呼に使用するＩＰ網対応部が、前記予備の音声処理部のＩＰアドレスを前記ＩＰ網側の自身のＩＰアドレスに変換して、前記ＩＰ信号を前記ＩＰ網に送信するステップと、を備えることを特徴とするＮ＋１構成での音声処理部における切替方法である。
【００１２】
本発明において、ユーザ端末と他の対向ユーザ端末がＩＰ網を介して音声通信を行っている場合、呼処理制御部は、この音声通信に使用するユーザ回線対応部と、振り分け部、音声処理部、チャネル番号、送信先ＩＰアドレス、送信先ポート番号、音声処理部のＩＰアドレス、送信元ポート番号、ＩＰ網対応部を記憶した音声呼情報を記憶する。ここで、呼処理制御部は、使用している音声処理部が故障したという通知を受けると、故障した音声処理部を使った音声通信から予備の音声処理部を使う音声通信に切り替える。この方法として、呼処理制御部は、故障した音声処理部を使用した音声通信の音声呼情報を取得し、そのうちの故障した音声処理部とそのＩＰアドレスを予備の音声処理部とそのＩＰアドレスに変更し、各部に通知する。通知された振り分け部は、音声信号を予備の音声処理部に送信し、音声処理部は通知された音声呼情報を使って、音声信号を符号化、ＲＴＰ信号化し、音声呼情報に含まれる送信先ＩＰアドレス、送信先ポート番号、予備の音声処理部のＩＰアドレス、送信元ポート番号をＲＴＰ信号に付加してＩＰ信号とし、ＩＰ網対応部に送信する。ＩＰ網対応部は、送信されたＩＰ信号の予備の音声処理部のＩＰアドレスを自身のＩＰアドレスに変換して、ＩＰ信号をＩＰ網に送信する。こうして、通常運用する正常系と異常系（予備系）の２つのＩＰ網対応部を設置し、ＩＰ網側に対するＩＰアドレスを最低２つにした構成において、音声処理部が故障した場合でも、予備の音声処理部を用いて音声通信を確保することが可能となる。
【００１３】
また、本発明は、ＩＰ網を利用したユーザ端末間の音声通信において、前記ユーザ端末と前記ＩＰ網に接続し、予備の音声処理部を含み、ＩＰ信号を音声信号に変換する複数の音声処理部と、前記ＩＰ網から受信したＩＰ信号を前記音声処理部に送信するＩＰ網対応部と、前記音声処理部から前記音声信号を受信する振り分け部と、前記振り分け部から前記音声信号を受信して前記ユーザ端末に送信するユーザ回線対応部と、呼処理の制御を行い、前記呼処理の音声呼情報と、前記音声処理部、前記ＩＰ網対応部、前記振り分け部の各部の使用状態とを記憶する呼処理制御部と、を備えるユーザ収容装置に適用されるＮ＋１構成での前記音声処理部における切替方法であって、前記音声通信に使用する前記ユーザ回線対応部と、前記振り分け部、前記音声処理部、チャネル番号、送信元ＩＰアドレス、送信元ポート番号、前記音声処理部のＩＰアドレス、宛先ポート番号、前記ＩＰ網対応部を記憶した音声呼情報に従って行う音声通信において、前記音声処理部が故障した場合、前記呼処理制御部が、前記故障した音声処理部に関する故障通知情報を受け付けるステップと、前記呼処理制御部が、前記故障通知情報を参照し、前記故障した音声処理部の使用状態を前記予備の音声処理部に移し、前記故障した音声処理部の使用状態を使用から未使用に変更して記憶するステップと、前記呼処理制御部が、前記故障した音声処理部を使用する呼に関する前記音声呼情報を取得するステップと、前記呼処理制御部が、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶するステップと、前記呼処理制御部が、前記当該呼に使用するＩＰ網対応部に対して、前記音声呼情報のうち、前記予備の音声処理部のＩＰアドレス、前記宛先ポート番号を通知するステップと、前記呼処理制御部が、前記当該呼に使用する振り分け部に対して、前記音声呼情報のうち、使用する前記ユーザ回線対応部、前記予備の音声処理部、前記チャネル番号を通知するステップと、前記呼処理制御部が、前記予備の音声処理部に対して、前記音声呼情報を通知するステップと、前記当該呼に使用するＩＰ網対応部が、前記ＩＰ信号の宛先ＩＰアドレスを前記予備の音声処理部のＩＰアドレスに変換して、前記ＩＰ信号を前記予備の音声処理部に送信するステップと、前記予備の音声処理部が、前記ＩＰ網対応部から受信したＩＰ信号を音声信号に変換し、前記通知されたチャネルで前記当該呼に使用する振り分け部に送信するステップと、前記当該呼に使用する振り分け部が、前記通知された当該呼に使用する前記ユーザ回線対応部に前記音声信号を送信するステップと、前記当該呼に使用するユーザ回線対応部が、前記ユーザ端末に前記音声信号を送信するステップと、を備えることを特徴とするＮ＋１構成での音声処理部における切替方法である。
【００１４】
本発明において、ユーザ端末と他の対向ユーザ端末がＩＰ網を介して音声通信を行っている場合、呼処理制御部は、この音声通信に使用するユーザ回線対応部と、振り分け部、音声処理部、チャネル番号、送信元ＩＰアドレス、送信元ポート番号、音声処理部のＩＰアドレス、宛先ポート番号、ＩＰ網対応部を記憶した音声呼情報を記憶する。ここで、呼処理制御部は、使用している音声処理部が故障したという通知を受けると、故障した音声処理部を使用した音声通信の音声呼情報を取得し、そのうちの故障した音声処理部とそのＩＰアドレスを予備の音声処理部とそのＩＰアドレスに変更し、各部に通知する。通知されたＩＰ網対応部は、ＩＰ網から受信したＩＰ信号の宛先ＩＰアドレスを予備の音声処理部のＩＰアドレスに変換して、ＩＰ信号を予備の音声処理部に送信する。予備の音声処理部は、受信したＩＰ信号を音声信号に変換して振り分け部に送信し、振り分け部は、ユーザ回線対応部に音声信号を送信し、ユーザ回線対応部は、ユーザ端末に音声信号を送信する。
こうして音声処理部が故障した場合であっても、ＩＰ網側からのＩＰ信号は音声信号に変換され、音声通信が確保される。
【００１５】
ここで、前記故障通知情報は、前記ＩＰ網対応部が、前記音声処理部から送信されるＩＰ信号を監視し、ＩＰ信号が途絶えた場合に、当該音声処理部が故障したものとして前記呼処理制御部に通知することを特徴とする。
また、前記呼処理制御部が、前記ユーザ端末から音声通信の呼切断の要求を受けると、当該呼の音声呼情報を取得するステップと、前記呼処理制御部が、前記取得した当該呼の音声呼情報に従って、当該音声呼に使用される音声処理部、振り分け部、ＩＰ網対応部に、当該呼の解除を通知するステップと、当該呼の解除を通知された前記振り分け部が、当該呼に使用される前記ユーザ回線対応部と前記音声処理部との接続を解放するステップと、当該呼の解除を通知された音声処理部が、前記音声信号と前記ＩＰ信号との変換処理を停止するステップと、当該呼の解除を通知された前記ＩＰ網対応部が、当該呼に使用された前記音声処理部のＩＰアドレスと前記ＩＰ網側の自身のＩＰアドレスとの変換を停止するステップと、前記呼処理制御部が、当該呼の前記音声呼情報を削除するステップと、をさらに備えることを特徴とする。即ち、呼処理制御部が、呼切断要求のあった呼の音声呼情報を削除し、その旨を各部に通知することで、音声通信の解放を実現することができる。
【００１６】
また、本発明は、ユーザ端末と、前記ユーザ端末とＩＰ網に接続するユーザ収容装置を備え、前記ユーザ端末間で前記ＩＰ網を利用した音声通信を実現する音声通信システムであって、前記ユーザ収容装置は、予備の音声処理部を含み、音声信号をＩＰ信号に変換する複数の音声処理部と、前記ユーザ端末から音声信号を受信するユーザ回線対応部と、前記ユーザ回線対応部から送信された音声信号を前記音声処理部に振り分ける振り分け部と、前記音声処理部と前記ＩＰ網とを接続するＩＰ網対応部と、呼処理の制御を行い、前記呼処理の音声呼情報と、前記音声処理部、前記ＩＰ網対応部、前記振り分け部の各部の使用状態とを記憶する呼処理制御部と、を備え、前記呼処理制御部は、前記ユーザ端末から音声通信の呼接続の要求を受け、当該呼に使用する前記ユーザ回線対応部、送信先ＩＰアドレス、送信先ポート番号、送信元ポート番号を音声呼情報として取得し、前記音声処理部の使用状態を参照し、未使用の音声処理部とチャネル番号を、当該呼の音声通信に使用する音声処理部とチャネル番号として決定し、前記当該呼に使用する音声処理部とチャネル番号の情報を、前記音声処理部の使用状態に追加して記憶し、前記当該呼に使用する音声処理部とチャネル番号と前記当該呼に使用する音声処理部のＩＰアドレス、当該呼に使用する前記振り分け部、当該呼に使用する前記ＩＰ網対応部の情報を、前記音声呼情報に追加して記憶し、前記当該呼に使用するＩＰ網対応部に対して、前記音声呼情報のうちの前記当該呼に使用する音声処理部のＩＰアドレス、前記送信元ポート番号を通知し、前記当該呼に使用する振り分け部に対して、前記音声呼情報のうちの前記当該呼に使用するユーザ回線対応部、前記当該呼に使用する音声処理部とチャネル番号を通知し、前記当該呼に使用する音声処理部に対して、前記音声呼情報を通知し、前記当該呼に使用する振り分け部が、前記通知された当該呼に使用する前記ユーザ回線対応部と前記音声処理部とを接続し、前記音声信号を、前記通知されたチャネルで前記音声処理部に送信し、前記当該呼に使用する音声処理部が、前記振り分け部から受信した前記音声信号をＲＴＰ信号に変換し、前記通知された音声呼情報に含まれる前記送信先ＩＰアドレス、前記送信先ポート番号、前記通知された音声処理部のＩＰアドレス、前記送信元ポート番号を加えて前記ＩＰ信号に変換し、前記ＩＰ網対応部に送信し、前記当該呼に使用するＩＰ網対応部が、前記通知された音声処理部のＩＰアドレスを前記ＩＰ網側の自身のＩＰアドレスに変換して、前記ＩＰ信号を前記ＩＰ網に送信することを特徴とする音声通信システムである。
【００１７】
また、本発明は、ユーザ端末と、前記ユーザ端末とＩＰ網に接続するユーザ収容装置を備え、前記ユーザ端末間で前記ＩＰ網を利用した音声通信を実現する音声通信システムであって、前記ユーザ収容装置は、予備の音声処理部を含み、ＩＰ信号を音声信号に変換する複数の音声処理部と、前記ＩＰ網から受信したＩＰ信号を前記音声処理部に送信するＩＰ網対応部と、前記音声処理部から前記音声信号を受信する振り分け部と、前記振り分け部から前記音声信号を受信して前記ユーザ端末に送信するユーザ回線対応部と、呼処理の制御を行い、前記呼処理の音声呼情報と、前記音声処理部、前記ＩＰ網対応部、前記振り分け部の各部の使用状態とを記憶する呼処理制御部と、を備え、前記呼処理制御部は、前記ユーザ端末から音声通信の呼接続の要求を受け、当該呼に使用する前記ユーザ回線対応部、宛先ポート番号、送信元ＩＰアドレス、送信元ポート番号を音声呼情報として取得し、前記音声処理部の使用状態を参照し、未使用の音声処理部とチャネル番号を、当該呼に使用する音声処理部とチャネル番号として決定し、前記当該呼に使用する音声処理部とチャネル番号の情報を、前記音声処理部の使用状態に追加して記憶し、前記当該呼に使用する音声処理部とチャネル番号と当該呼に使用する音声処理部のＩＰアドレス、当該呼に使用する前記振り分け部、当該呼に使用する前記ＩＰ網対応部の情報を、前記音声呼情報に追加して記憶し、前記当該呼に使用するＩＰ網対応部に対して、前記音声呼情報のうちの当該呼に使用する前記音声処理部のＩＰアドレス、前記宛先ポート番号を通知し、前記当該呼に使用する振り分け部に対して、前記音声呼情報のうちの前記当該呼に使用するユーザ回線対応部、前記当該呼に使用する音声処理部とチャネル番号を通知し、前記当該呼に使用する音声処理部に対して、前記音声呼情報を通知し、前記当該呼に使用するＩＰ網対応部は、前記ＩＰ信号の宛先ＩＰアドレスを前記通知された音声処理部のＩＰアドレスに変換して、前記ＩＰ信号を前記通知された音声処理部に送信し、前記当該呼に使用する音声処理部は、前記ＩＰ網対応部から受信したＩＰ信号を音声信号に変換し、前記通知されたチャネルで前記当該呼に使用する振り分け部に送信し、前記当該呼に使用する振り分け部は、前記通知された当該呼に使用する前記ユーザ回線対応部に前記音声信号を送信し、前記当該呼に使用するユーザ回線対応部は、前記ユーザ端末に前記音声信号を送信することを特徴とする音声通信システムである。
【００１８】
また、本発明は、ユーザ端末と、前記ユーザ端末とＩＰ網に接続するユーザ収容装置を備え、前記ユーザ端末間で前記ＩＰ網を利用した音声通信を実現する音声通信システムであって、前記ユーザ収容装置は、予備の音声処理部を含み、音声信号をＩＰ信号に変換する複数の音声処理部と、前記ユーザ端末から音声信号を受信するユーザ回線対応部と、前記ユーザ回線対応部から送信された音声信号を前記音声処理部に振り分ける振り分け部と、前記音声処理部と前記ＩＰ網とを接続するＩＰ網対応部と、呼処理の制御を行い、前記呼処理の音声呼情報と、前記音声処理部、前記ＩＰ網対応部、前記振り分け部の各部の使用状態とを記憶する呼処理制御部と、を備え、前記音声通信に使用する前記ユーザ回線対応部と、前記振り分け部、前記音声処理部、チャネル番号、送信先ＩＰアドレス、送信先ポート番号、前記音声処理部のＩＰアドレス、送信元ポート番号、前記ＩＰ網対応部を記憶した音声呼情報に従って行う音声通信において、前記音声処理部が故障した場合、前記呼処理制御部は、前記故障した音声処理部に関する故障通知情報を受け付け、前記故障通知情報を参照し、前記故障した音声処理部の使用状態を前記予備の音声処理部に移し、前記故障した音声処理部の使用状態を使用から未使用に変更して記憶し、前記故障した音声処理部を使用する呼に関する前記音声呼情報を取得し、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶し、当該呼に使用する前記ＩＰ網対応部に対して、前記音声呼情報のうち、前記予備の音声処理部のＩＰアドレス、前記送信元ポート番号を通知し、当該呼に使用する前記振り分け部に対して、前記音声呼情報のうち、使用する前記ユーザ回線対応部、前記予備の音声処理部、前記チャネル番号を通知し、前記予備の音声処理部に対して、前記音声呼情報を通知し、前記当該呼に使用する振り分け部は、前記通知された使用する前記ユーザ回線対応部と前記予備の音声処理部とを接続し、前記音声信号を、前記通知されたチャネルで前記予備の音声処理部に送信し、前記予備の音声処理部は、前記振り分け部から受信した前記音声信号をＲＴＰ信号に変換し、前記通知された音声呼情報に含まれる前記送信先ＩＰアドレス、前記送信先ポート番号、前記予備の音声処理部のＩＰアドレス、前記送信元ポート番号を加えて前記ＩＰ信号に変換し、前記ＩＰ網対応部に送信し、前記当該呼に使用するＩＰ網対応部は、前記予備の音声処理部のＩＰアドレスを前記ＩＰ網側の自身のＩＰアドレスに変換して、前記ＩＰ信号を前記ＩＰ網に送信することを特徴とする音声通信システムである。
【００１９】
また、本発明は、ユーザ端末と、前記ユーザ端末とＩＰ網に接続するユーザ収容装置を備え、前記ユーザ端末間で前記ＩＰ網を利用した音声通信を実現する音声通信システムであって、前記ユーザ収容装置は、予備の音声処理部を含み、ＩＰ信号を音声信号に変換する複数の音声処理部と、前記ＩＰ網から受信したＩＰ信号を前記音声処理部に送信するＩＰ網対応部と、前記音声処理部から前記音声信号を受信する振り分け部と、前記振り分け部から前記音声信号を受信して前記ユーザ端末に送信するユーザ回線対応部と、呼処理の制御を行い、前記呼処理の音声呼情報と、前記音声処理部、前記ＩＰ網対応部、前記振り分け部の各部の使用状態とを記憶する呼処理制御部と、を備え、前記音声通信に使用する前記ユーザ回線対応部と、前記振り分け部、前記音声処理部、チャネル番号、送信元ＩＰアドレス、送信元ポート番号、前記音声処理部のＩＰアドレス、宛先ポート番号、前記ＩＰ網対応部を記憶した音声呼情報に従って行う音声通信において、前記音声処理部が故障した場合、前記呼処理制御部は、前記故障した音声処理部に関する故障通知情報を受け付け、前記故障通知情報を参照し、前記故障した音声処理部の使用状態を前記予備の音声処理部に移し、前記故障した音声処理部の使用状態を使用から未使用に変更して記憶し、前記故障した音声処理部を使用する呼に関する前記音声呼情報を取得し、前記取得した音声呼情報において、前記故障した音声処理部と前記故障した音声処理部のＩＰアドレスを、前記予備の音声処理部と前記予備の音声処理部のＩＰアドレスに変更して、前記音声呼情報に記憶し、前記当該呼に使用するＩＰ網対応部に対して、前記音声呼情報のうち、前記予備の音声処理部のＩＰアドレス、前記宛先ポート番号を通知し、前記当該呼に使用する振り分け部に対して、前記音声呼情報のうち、使用する前記ユーザ回線対応部、前記予備の音声処理部、前記チャネル番号を通知し、前記予備の音声処理部に対して、前記音声呼情報を通知し、前記当該呼に使用するＩＰ網対応部は、前記ＩＰ信号の宛先ＩＰアドレスを前記予備の音声処理部のＩＰアドレスに変換して、前記ＩＰ信号を前記予備の音声処理部に送信し、前記予備の音声処理部は、前記ＩＰ網対応部から受信したＩＰ信号を音声信号に変換し、前記通知されたチャネルで前記当該呼に使用する振り分け部に送信し、前記当該呼に使用する振り分け部は、前記通知された当該呼に使用する前記ユーザ回線対応部に前記音声信号を送信し、前記当該呼に使用するユーザ回線対応部は、前記ユーザ端末に前記音声信号を送信することを特徴とする音声通信システムである。
【００２０】
ここで、前記故障通知情報は、前記ＩＰ網対応部が、前記音声処理部から送信されるＩＰ信号を監視し、ＩＰ信号が途絶えた場合に、当該音声処理部が故障したものとして前記呼処理制御部に通知することを特徴とする。
また、前記呼処理制御部は、前記ユーザ端末から音声通信の呼切断の要求を受けると、当該呼の音声呼情報を取得し、前記取得した当該呼の音声呼情報に従って、当該音声呼に使用される音声処理部、振り分け部、ＩＰ網対応部に、当該呼の解除を通知し、当該呼の解除を通知された前記振り分け部は、当該呼に使用される前記ユーザ回線対応部と前記音声処理部との接続を解放し、当該呼の解除を通知された音声処理部は、前記音声信号と前記ＩＰ信号との変換処理を停止し、当該呼の解除を通知された前記ＩＰ網対応部は、当該呼に使用された前記音声処理部のＩＰアドレスと前記ＩＰ網側の自身のＩＰアドレスとの変換を停止し、前記呼処理制御部は当該呼の前記音声呼情報を削除することで呼切断を実現する。
【発明の効果】
【００２１】
本発明によれば、音声処理部がＮ＋１構成であるにも関わらず、音声処理部に接続され、ＩＰ網側に設置する２つのＩＰ網対応部が、複数の音声処理部や呼処理制御部の複数のアドレスを自身のアドレスに変換することにより、ＩＰ網側に対して最低２つのアドレスしか使用しない構成を実現することが可能となる。これにより、需要に応じた効率的な音声処理部の搭載が可能となると共に、使用アドレスの数に制限がある環境にも適用可能となる。
また、音声通話時において、運用中の音声処理部の故障が発生した場合には、呼処理制御部が、予備の音声処理部を代替音声処理部として起動し、設定を行い、ＩＰ網対応部が予備の音声処理部のアドレスを自身のアドレスに変換して、音声通信を続行する。こうして、音声処理部の故障時、工事時等において、呼の切断を防ぐことが可能となる。
【図面の簡単な説明】
【００２２】
【図１】本発明の実施の形態に係る音声通信システムの構成の一例を示す図である。
【図２】本発明の実施の形態に係る音声通信システムの呼接続処理手順を説明するための図である。
【図３】本発明の実施の形態に係る音声通信システムの音声処理部故障時の処理手順を説明するための図である。
【図４】本発明の実施の形態に係る音声通信システムの呼切断処理手順を説明するための図である。
【図５】本発明の実施の形態に係る音声通信システムの呼処理制御部の機能ブロック構成を示す図である。
【図６】本発明の実施の形態に係る音声通信システムの音声処理部管理表の一例を示す図である。
【図７】本発明の実施の形態に係る音声通信システムのＩＰ網対応部管理表の一例を示す図である。
【図８】本発明の実施の形態に係る音声通信システムの振り分け部管理表の一例を示す図である。
【図９】本発明の実施の形態に係る音声通信システムの音声呼管理表の一例を示す図である。
【図１０】本発明の実施の形態に係る音声通信システムの呼接続時の呼処理制御部の動作を説明するための図である。
【図１１】本発明の実施の形態に係る音声通信システムの呼接続時の音声処理部管理表の一例を示す図である。
【図１２】本発明の実施の形態に係る音声通信システムの呼接続時の音声呼管理表の一例を示す図である。
【図１３】本発明の実施の形態に係る音声通信システムの音声処理部故障時の呼処理制御部の動作を説明するための図である。
【図１４】本発明の実施の形態に係る音声通信システムの音声処理部故障時の音声処理部管理表の一例を示す図である。
【図１５】本発明の実施の形態に係る音声通信システムの音声処理部故障時の音声呼管理表の一例を示す図である。
【図１６】本発明の実施の形態に係る音声通信システムの呼切断時の呼処理制御部の動作を説明するための図である。
【図１７】本発明の実施の形態に係る音声通信システムの呼切断時の音声処理部管理表の一例を示す図である。
【図１８】本発明の実施の形態に係る音声通信システムの呼切断時の音声呼管理表の一例を示す図である。
【図１９】本発明の実施の形態に係る音声通信システムのＩＰ網対応部の機能ブロック構成を示す図である。
【図２０】本発明の実施の形態に係る音声通信システムのＩＰアドレス／ポート番号変換表の一例を示す図である。
【図２１】本発明の実施の形態に係る音声通信システムのＩＰ網対応部の動作を説明するための図である。
【図２２】本発明の実施の形態に係る音声通信システムの呼接続時のＩＰアドレス／ポート番号変換表の一例を示す図である。
【図２３】本発明の実施の形態に係る音声通信システムの音声処理部の機能ブロック構成を示す図である。
【図２４】本発明の実施の形態に係る音声通信システムの音声処理部管理情報の一例を示す図である。
【図２５】本発明の実施の形態に係る音声通信システムの音声処理部の動作を説明するための図である。
【図２６】本発明の実施の形態に係る音声通信システムの呼接続時の音声処理部管理情報の一例を示す図である。
【図２７】本発明の実施の形態に係る音声通信システムのアドレス管理表の一例を示す図である。
【図２８】本発明の実施の形態に係る音声通信システムの振り分け部の機能ブロック構成を示す図である。
【図２９】本発明の実施の形態に係る音声通信システムの振り分け部の動作を説明するための図である。
【発明を実施するための形態】
【００２３】
以下に、添付図面を参照しながら、本発明に係る音声通信システム及び予備の音声処理部を含む複数の音声処理部（Ｎ＋１構成での音声処理部）における切替方法の好適な実施形態について詳細に説明する。なお、以下の説明および添付図面において、略同一の機能構成を有する構成要素については、同一の符号を付することにより重複説明を省略することにする。
【００２４】
図１は、音声通信システムの構成の一例を示す図である。
音声通信システム１は、ＩＰ網２、呼処理制御サーバ７、ユーザ端末１１，１２，１３，１４，…、ユーザ収容装置２１，２２等から構成される。ＩＰ網２は、ＩＰデータの通信による回線網であり、呼処理制御サーバ７は宛先番号（情報）から接続先（ＩＰアドレス）を選択する呼処理等を制御するサーバコンピュータである。ユーザ端末１１，１２，１３，１４，…は既存電話サービスで使用されている電話端末である。ユーザ収容装置２１は、ユーザ端末１１，１２，１３からのメタル回線を終端し、ＩＰ網２へ接続する装置である。ユーザ収容端末２２も同様の装置であり、ユーザ端末１４をＩＰ網２に接続する装置である。
ここでは、ユーザ端末１１，１２，１３からユーザ収容装置２１、ＩＰ網２、ユーザ収容装置２２を介してユーザ端末１４等と音声通信を行う場合を例に説明する。従って、ユーザ端末１４は対向ユーザ端末、ユーザ収容装置２２は、対向ユーザ収容装置とする。
【００２５】
ユーザ収容装置２１は音声信号をＩＰ信号に変換する装置であり、呼処理制御部３０、ユーザ回線対応部３１，３２，３３，…、振り分け部４０，４１、音声処理部５１，５２，５３，…、ＩＰ網対応部６０，６１を有する。
呼処理制御部３０は、音声通信を確立、解放、制御するために、ＩＰ網２側に対する呼制御とその呼制御に必要な装置内各機能部の制御とを実施する。また、振り分け部４０，４１、音声処理部５１，５２，５３，…、ＩＰ網対応部６０，６１の活性状態（故障状態）、使用状態、設定内容を管理する。
【００２６】
また、呼処理制御部３０は、ＩＰ網２側への呼制御を行うとともに、その呼に使用する振り分け部４０，４１、音声処理部５１，５２，５３，…、ＩＰ網対応部６０，６１の処理設定を行い、振り分け部４０，４１、音声処理部５１，５２，５３，…、ＩＰ網対応部６０，６１の故障状態の通知を受け、切替のため各部の設定を実施する（保守コマンドによっても同等の切替が可能である）。
【００２７】
ユーザ回線対応部３１，３２，３３、…、は、ユーザ端末１１，１２，１３、…からの音声信号を両系（０系、１系）の振り分け部４０，４１に送信し、振り分け部４０，４１からの音声信号をユーザ端末３１，３２，３３、…に送信する。
振り分け部４０，４１は、呼処理制御部３０より通知を受けた情報をもとに、ユーザ回線対応部３１，３２，３３，…と音声処理部５１，５２，５３，…を接続する。
【００２８】
音声処理部５１，５２，５３，…は、呼処理制御部３０からの設定指示を受け、振り分け部４０，４１から送信される音声信号を符号化、ＲＴＰ（Real-time Transport Protocol）化、ＩＰ化し、ＩＰ網対応部６０，６１にＩＰ信号を送信する。また、ＩＰ網対応部６０，６１からのＩＰ信号を逆手順で音声信号化し、振り分け部４０，４１に送信する。また、音声処理部５１，５２，５３，…は、音声処理部自身の故障時に呼処理制御部３０にその旨を通知する。
【００２９】
ＩＰ網対応部６０，６１は、呼処理制御部３０からＩＰ網２への通信に対し、各呼処理制御部毎に事前に設定している呼処理制御部３０のＩＰアドレスを自身のアドレスに変更する。また、ＩＰ網２より呼処理制御部３０への通信に対し、宛先ＩＰアドレスを各呼処理制御部毎に事前に設定している呼処理制御部３０のＩＰアドレスに変更する。さらに、ＩＰ網対応部６０，６１は、呼処理制御部３０より通知を受けた情報をもとに、音声処理部５１，５２，５３，…からＩＰ網２への通信に対し、送信元ＩＰアドレスとなる音声処理部のアドレスを自身のアドレスに変更する。また、ＩＰ網２より音声処理部５１，５２，５３，…への通信において、宛先ＩＰアドレスを、使用している音声処理部のＩＰアドレスに変更する。また、ＩＰ網対応部６０，６１は、音声処理部５１，５２，５３，…からの音声信号を監視し、音声信号断時には音声処理部５１，５２，５３，…の故障として呼処理制御部３０に通知する。
【００３０】
次に、音声通信システム１の動作について説明する。
図２は、音声通信システム１の呼接続時の処理手順を説明するための図である。呼処理制御部３０は、音声通信を確立するためＮＷ（ネットワーク：ＩＰ網２）側、ユーザ端末側と呼制御のやり取りを実施する（ＳＴ１１）。呼処理制御部３０は、ＳＴ１１の結果及び呼処理制御部３０内の各機能部の管理表（図６〜図８）より、確立する音声通信が使用する各機能部と機能部内のチャネルを割り当て、音声呼管理表１１４（図９）に登録する（ＳＴ１２）。
【００３１】
呼処理制御部３０は、ＳＴ１２で作成した音声呼管理表１１４をもとに各機能部に登録情報を通知する（ＳＴ１３）。通知を受けたＩＰ網対応部６０は、通知の情報をもとに、音声処理部５１とＩＰ網２間の音声通信のアドレス変換を実施する。即ち、ＩＰ対応部６０は、音声処理部５１のアドレスＡ（図２）をＩＰ網対応部６０のアドレスα（図２）に変換し、併せて音声通信の断監視を実施する（ＳＴ１４ａ）。ＳＴ１３で呼処理制御部３０から通知を受けた音声処理部５１は、通知情報を参照し、音声の符号化、ＲＴＰ化、ＩＰ化を実施する（ＳＴ１４ｂ）。ＳＴ１３で呼処理制御部３０から通知を受けた振り分け部４０は、通知情報を参照し、ユーザ回線対応部３１と音声処理部５１の接続を実施する（ＳＴ１４ｃ）。ＳＴ１４の処理が完了すると、ユーザ端末１１と対向ユーザ端末１４間での音声通信が実現する（ＳＴ１５）。
【００３２】
尚、ここでは、図２以降の図および説明において、各部のアドレスを次のようにする。括弧内はＩＰアドレスを示す。
Ａ（192.168.0.4）は音声処理部（＃１）５１のＩＰ網対応部（０系）６０向けＩＦ（インタフェース）のＩＰアドレス、Ｂ（192.168.1.4）は音声処理部（＃１）５１のＩＰ網対応部（１系）６１向けＩＦのＩＰアドレス、Ｃ（192.168.0.5）は音声処理部（＃２）５２のＩＰ網対応部（０系）６０向けＩＦのＩＰアドレス、Ｄ（192.168.1.5）は音声処理部（＃２）５２のＩＰ網対応部（１系）６１向けＩＦのＩＰアドレス、Ｅ（192.168.0.6）は音声処理部（＃３）５３のＩＰ網対応部（０系）６０向けＩＦのＩＰアドレス、Ｆ（192.168.1.6）は音声処理部（＃３）５３のＩＰ網対応部（１系）６１向けＩＦのＩＰアドレスである。
【００３３】
また、Ｉ（192.168.0.1）は、ＩＰ網対応部（０系）６０の音声処理部５１，５２，５３及び呼処理制御部３０向けのＩＰアドレス、Ｊ（192.168.1.1）は、ＩＰ網対応部（１系）６１の音声処理部５１，５２，５３及び呼処理制御部３０向けのＩＰアドレスである。
また、α（10.10.10.2）は、ＩＰ網対応部６０のＩＰ網２側のＩＰアドレスである。β（10.10.10.10、10.10.10.11）は対向ユーザ収容装置２２のＩＰアドレスである。
【００３４】
図３は、音声通信システム１の音声処理部故障時の処理手順を示す図である。
呼処理制御部３０は、故障した音声処理部５１からの音声信号断を検出したＩＰ網対応部６０もしくは音声処理部５１自身から、故障通知を受ける（ＳＴ２１）。次に、呼処理制御部３０は、ＳＴ２１での故障通知情報をもとに、必要に応じて各機能部をチェックし、音声処理部５１の他の音声処理部への切替が必要と判断した場合には、ＳＴ２１の情報から、呼処理制御部３０内の音声処理部管理表（図１４）の故障した音声処理部５１及び故障音声処理部の代替となる予備系音声処理部５３に関する情報を変更し、それに合わせて音声呼管理表１１４（図１５）を変更する（ＳＴ２２）。
【００３５】
呼処理制御部３０は、ＳＴ２２で変更した音声呼管理表１１４をもとに各機能部に変更した予備系音声処理部５３に関する情報を通知する（ＳＴ２３）。
呼処理制御部３０から通知を受けたＩＰ網対応部６０は、ＳＴ２３の通知情報をもとにＩＰアドレス／ポート番号変換表２２１（図２０、図２２）において、故障した音声処理部５１のＩＰアドレスと自身のＩＰ網側のＩＰアドレスとの変換から、使用する予備系音声処理部５３のＩＰアドレスと自身のＩＰ網側のＩＰアドレスとの変換に変更する（ＳＴ２４ａ）。これにより、ＩＰ網２から故障音声処理部５１への信号は予備系音声処理部５３へ送信され、故障音声処理部５１からの信号はＩＰ網２側へは送信されず、予備系音声処理部５３からの信号がＩＰ網２へ送信される。即ち、音声処理部５１から音声処理部５３の変更がＩＰ網２側からは隠蔽されることになり、ユーザ端末１４は、ユーザ収容装置２１を介して変更前と同じ通信を行うことが出来る。
【００３６】
呼処理制御部３０から通知を受けた予備系音声処理部５３は、ＳＴ２３で通知された音声処理に関する情報を用いて、音声の符号化、ＲＴＰ化、ＩＰ化を実施する（ＳＴ２４ｂ）。ＳＴ２３で呼処理制御部３０から通知を受けた振り分け部４０は、ユーザ回線対応部３１と予備系音声処理部５３との接続に変更する（ＳＴ２４ｃ）。
このようにして、音声処理部５１が故障した場合でも、呼処理制御部３０が代替となる予備系の音声処理部５３への切替を設定し、各部に通知し、各部がその設定を実施することで音声通信を確保することが可能となる。
【００３７】
図４は、音声通信システムの呼切断処理手順を示す図である。
呼処理制御部３０は、音声通信を切断するため、ＩＰ網２側、ユーザ端末１１側と呼制御のやり取りを実施する（ＳＴ３１）。ＳＴ３１の結果及び音声呼管理表１１４（図１８）より、各機能部に解除要求のあった呼に関する情報を通知する（ＳＴ３２）。呼処理制御部３０から通知を受けたＩＰ網対応部６０は、通知された解除要求の対象となる呼に関する情報をもとに、ＩＰアドレス／ポート番号変換表２２１から該当する呼の情報を削除することにより、該当呼に対する以降の通信を停止する（ＳＴ３３ａ）。
【００３８】
解除要求の対象となる呼で使用されている音声処理部５３は、呼処理制御部３０から通知を受けて、音声の符号化、ＲＴＰ化、ＩＰ化を停止する（ＳＴ３３ｂ）。解除要求の対象となる呼で使用されている振り分け部４０は、呼処理制御部３０から通知を受けて、ユーザ回線対応部３１と音声処理部５３の接続を解放する（ＳＴ３３ｃ）。呼処理制御部３０は、音声呼管理表１１４（図１８）、及び音声処理部管理表１１１（図１７）等各部の管理表から該当呼に関する情報を削除或いは変更する（ＳＴ３４）。
【００３９】
次に、呼処理制御部３０、振り分け部４０，４１、音声処理部５１，５２，５３，…、ＩＰ網対応部６０，６１の機能を説明し、前記の呼接続、音声処理部故障時切替、呼切断の各処理を詳細に説明する。
図５は、ユーザ収容装置２１の呼処理制御部３０の機能ブロック構成を示す図である。呼処理制御部３０は、機能管理部１０１、呼処理部１０２、ＩＰ通信インタフェース部１０３、制御通信インタフェース部１０４を有する。
【００４０】
機能管理部１０１は、音声処理部管理表１１１、ＩＰ網対応部管理表１１２、振り分け部管理表１１３、音声呼の状態管理表である音声呼管理表１１４を記憶し、呼処理部１０２と連携して振り分け部４０，４１、音声処理部５１，５２，５３，…、ＩＰ網対応部６０，６１の管理、制御を行う機能部である。音声処理部管理表１１１は、音声処理部５１，５２，５３，…、を管理制御するための情報を記憶する。ＩＰ網対応部管理表１１２は、ＩＰ網対応部６０，６１を管理制御するための情報を記憶する。振り分け部管理表１１３は、振り分け部４０，４１を管理制御するための管理表である。
【００４１】
呼処理制御部３０の呼処理部１０２は、音声通信を確立するための呼制御を実施する機能部である。ここでは、既存の呼処理モジュール（ＩＰ網２側：ＳＩＰ（Session Initiation Protocol）等、ユーザ端末側：既存交換機制御等）を想定している。ＩＰ通信インタフェース部１０３は、ＩＰ網対応部６０，６１との接続処理を行う。制御通信インタフェース部１０４は、ユーザ収容装置２１内機能部との接続処理を行う。
【００４２】
図６は、機能管理部１０１が管理する音声処理部管理表１１１の一例を示す図である。音声処理部管理表１１１は、各音声処理部の活性状況、チャネル（Ｃｈ）ごとの使用状況、ＩＰアドレスを記憶する。
図７は、ＩＰ網対応部管理表１１２の一例を示す図である。ＩＰ網対応部管理表１１２は、各ＩＰ網対応部６０，６１（０系、１系）の使用状況と装置側（ユーザ端末側）のＩＰアドレスを記憶する。
【００４３】
図８は、振り分け部管理表１１３の一例を示す図である。振り分け部管理表１１３は、各振り分け部４０，４１（０系、１系）の使用状況を記憶する。
図９は、音声呼管理表１１４の一例を示す図である。音声呼管理表１１４は呼情報を管理するものであり、呼情報として呼番号（呼に対する識別番号）、使用するユーザ回線対応部、振り分け部、音声処理部、Ｃｈ番号、ＳＳＲＣ、送信先ＩＰアドレス、送信先ポート番号、送信元ＩＰアドレス、送信元ポート番号、ＩＰ網対応部処理部を記憶し、管理する。ここで、ＳＳＲＣは音声通信を識別するために用いるＲＴＰ信号における識別子である。
【００４４】
例えば、図９に示す呼番号「０００１」の呼は通信が確立しており、ユーザ回線対応部（＃１）３１、振り分け部（０系）４０、音声処理部（＃１）５１のチャネル１（ｃｈ）を使用し、対向ユーザ収容装置２２のアドレスである呼の送信先ＩＰアドレスが（10.10.10.10）、送信先ポート番号が「２０００」であり、音声処理部５１の送信元アドレスがＡ（192.168.0.4）、送信元ポート番号が「１０２４」であり、音声処理部５１が接続するＩＰ網対応部はＩＰ対応部（０系）６０であることを示す。
【００４５】
図１０は、呼接続時の呼処理制御部３０の動作を説明するための図である。図１１は呼接続時の音声処理部管理表を示し、図１２は呼接続時の音声呼管理表を示す図である。
図１０に示すように、呼処理部１０２は音声通信を確立するため、ＩＰ網２側及びユーザ端末側と呼制御のやり取りを実施する（ＳＴ４１）。呼制御のやり取りは既存の方式を活用し（ＩＰ網側：ＳＩＰ等のＩＰ上の制御法、ユーザ端末側：既存電話の制御法を想定）、このやり取りの中で、音声通信で使用するユーザ収容装置２１のＩＰアドレスとポート番号を通信相手に通知し、通信相手のＩＰアドレスとポート番号を取得する。ここで、ＩＰ網２側に通知するＩＰアドレスはＩＰ網対応部６０，６１のＩＰ網２側のＩＰアドレスとし、ポート番号は呼処理部１０２の中で他の音声通話と重ならないよう決定する。
【００４６】
呼処理部１０２は、ＳＴ４１の処理で決定、取得した、呼番号、ユーザ回線対応部、送信元ポート番号、送信先ＩＰアドレスとポート番号を機能管理部１０１に通知する（ＳＴ４２）。機能管理部１０１は、図１１に示す音声処理部管理表１１１より、活性状況が「運用中」の音声処理部のうち、使用状況が「未使用」の音声処理部のチャネル番号を当該呼で使用する音声処理部とチャネル番号として決定する（ＳＴ４３−１）。機能管理部１０１は、ＳＴ４２で呼処理部１０２より通知を受けた情報、ＳＴ４３−１で決定した音声処理部とチャネル番号と、ＩＰ網対応部管理表１１２及び振り分け部管理表１１３において使用状況が「運用中」であるＩＰ網対応部６０、振り分け部４０を選択し、音声呼管理表１１４に呼情報を追加記憶する（ＳＴ４３−２）。
【００４７】
ＳＴ４３−２の音声呼管理表１１４への呼情報追加において、機能管理部１０１は、ＳＴ４３−１において使用を決定した音声処理部５１のＩＰアドレスのうち、ＩＰ網対応部管理表１１２の使用状態が「運用中」であるＩＰ網対応部６０と接続するインタフェースのＩＰアドレスを送信元ＩＰアドレスとし、識別子ＳＳＲＣは他の呼と重複しないように決定する。機能管理部１０１は、当該呼に使用する音声処理部５１、ＩＰ網対応部６０、振り分け部４０に対して、呼接続の要求を受け付けてＳＴ４３−２で追加記憶した音声呼情報を通知する（ＳＴ４４）。機能管理部１０１は、例えば、音声処理部５１に対しては、使用する振り分け部が「０系（振り分け部４０）」、チャネル番号が「２ｃｈ」、ＳＳＲＣが「１２３５」、送信先ＩＰアドレスが「（10.10.10.11）」、送信先ポート番号が「３０００」、送信元ＩＰアドレスが「（192.168.0.4）」、送信元ポート番号が「１０２６」であること（図１２の音声呼管理表１１４の破線枠内の情報）等を通知する。
【００４８】
また、機能管理部１０１は、ＩＰ網対応部６０に対して、送信元ＩＰアドレスが「（192.168.0.4）」、送信元ポート番号が「１０２６」であること（図１２の音声呼管理表１１４の一点鎖線枠内の情報）等を通知する。また、機能管理部１０１は、振り分け部４０に対して、使用するユーザ回線対応部が「＃２（ユーザ回線対応部３２）」、音声処理部が「＃１（音声処理部５１）」、チャネル番号が「２ｃｈ」であること（図１２の音声呼管理表１１４の実線枠内の情報）等を通知する。
【００４９】
なお、前記の各機能部に通知する情報は本発明を実現するために必要な情報であり、呼処理制御部は、前記の情報を含めて一般的に通信に必要とされる情報（例えば、音声処理部に対しては、コーデック情報やパケット間周期など）を各部に送信する。
なお、処理を早くするため、ＳＴ４１のポート番号決定時に呼番号、ユーザ回線対応部３１、送信元ポート番号を機能管理部１０１に通知し、その後の呼制御のやり取りを実施後に送信先ＩＰアドレスとポート番号を別途機能管理部１０１に通知する方法もある。
また、ここではＩＰ網対応部６０，６１のＩＰ網２側の冗長方式はＡＣＴ／ＳＢＹ方式を例に示したが、ＩＰ網対応部６０，６１のＩＰ網側の冗長方式によっては、例えばリンクアグリゲーションといったＡＣＴ／ＡＣＴ方式も想定される。この場合、ＩＰ網２からの通信はどちらの系を通るか分からないため、ＩＰ網対応部６０，６１の両系へ通知する必要がある。また、その場合通知する「送信元ＩＰアドレス」は両系で異なり接続される音声処理部のＩＰアドレスとなる。
【００５０】
図１３は、音声処理部故障時の呼処理制御部３０の動作を説明するための図である。図１４は、音声処理部故障時の音声処理部管理表を示し、図１５は音声処理部故障時の音声呼管理表を示す図である。
呼処理制御部３０は、音声処理部５１の故障通知を、音声処理部５１もしくは接続先のＩＰ網対応部６０から受ける（ＳＴ５１）。
【００５１】
通知を受けた機能管理部１０１は、故障通知情報をもとに、必要に応じて各機能部をチェックし、音声処理部５１の他の音声処理部への切替が必要と判断した場合には、図１４に示す音声処理部管理表１１１内の活性状況を変更する（ＳＴ５２−１）。機能管理部１０１は、故障音声処理部、ここでは音声処理部（＃１）５１の活性状況を「故障中」に変更し、待機中音声処理部である音声処理部（＃３）５３の活性状況を「運用中」に変更する。
【００５２】
次に、機能管理部１０１は、図１４に示す音声処理部管理表１１１内の使用状況を変更する（ＳＴ５２−２）。機能管理部１０１は、図１４に示すように、故障音声処理部、ここでは音声処理部（＃１）５１の使用状況を音声処理部（＃３）５３にコピーして、故障した音声処理部５１の使用状況を「未使用」に変更する。機能管理部１０１は、図１４に示す音声処理部管理表１１１の変更に合わせて、図１５に示す音声呼管理表１１４を変更する（ＳＴ５２−３）ここで、音声処理部５３で使用するＳＳＲＣも、音声処理部５１で使用するＳＳＲＣとは異なるものに変更する。これは、音声処理部が切り替わることにより、音声信号のシーケンス番号が不連続となり、ユーザ収容装置２２などの対向装置による呼切断が生じること等を防ぐためである。
【００５３】
機能管理部１０１は使用する音声処理部５３、ＩＰ網対応部６０、振り分け部４０に対して、使用する音声処理部の変更とそれに伴って変更された情報を含めた前記項目の情報（図１５において破線枠内、一点鎖線枠内、実線枠内の情報）を通知する（ＳＴ５３）。
【００５４】
なお、ＳＴ５２において、既に他音声処理部の故障等で待機中の音声処理部（ここでは音声処理部５３）が使用されている場合は、ＳＴ５２−１の処理後、図１４に示す音声処理部管理表１１１内の故障音声処理部５１の使用チャネルを、運用中の音声処理部の未使用チャネルに移す。もし、他の音声処理部の空きチャネルが足りない場合は、移さずに故障音声処理部５１で処理を続け（この呼に関しては通信の正常性の保障はなし）、空きチャネルが発生した時点で移すこととする。また、故障音声処理部５１に音声通信が残っている間は新規に音声通信を確立しないこととする。
また、以上説明した音声処理部の切替はコマンドを用いても同様な手順で対応可能とする。
【００５５】
図１６は、呼切断時の呼処理制御部３０の動作を説明するための図である。図１７は呼切断時の音声処理部管理表を示し、図１８は呼切断時の音声呼管理表を示す。
呼処理部１０２は、音声通信を切断するため、ＩＰ網２側及びユーザ端末側と呼制御のやり取りを実施する（ＳＴ６１）。呼制御のやり取りは既存の方式を活用し、ＩＰ網２側はＳＩＰ等のＩＰ上の制御法を、ユーザ端末側は既存電話の制御法等を用いる。
【００５６】
呼処理部１０２は、切断する呼番号を機能管理部１０１に通知する（ＳＴ６２）。機能管理部１０１は、図１８に示す音声呼管理表１１４を参照し、該当する呼が使用している音声処理部、ＩＰ網対応部、振り分け部に対して情報の解除要求を通知する（ＳＴ６３）。例えば、図１８に示す呼番号「０００２」の切断が要求されると、機能管理部１０１は、音声処理部５３、ＩＰ網対応部６０、振り替え部４０に対して情報の解除要求を通知する。
【００５７】
機能管理部１０１は、図１７に示す音声処理部管理表１１１において解放（切断）する呼の音声処理部のチャネル番号を「未使用」に変更し（ＳＴ６４−１）、図１８に示す音声呼管理表１１４において解放する呼の情報を削除する（ＳＴ６４−２）。例えば、図１８に示す呼番号「０００２」の切断が要求されると、図１７に示す音声処理部管理表１１１において音声処理部（＃３）５３のチャネル番号「２ｃｈ」の使用状況が「使用」から「未使用」に変更され、図１８に示す音声呼管理表１１４において呼番号「０００２」の情報が削除される。
【００５８】
次に、ＩＰ網対応部６０，６１の機能と動作について詳細に説明する。
図１９は、ユーザ収容装置２１のＩＰ網対応部６０の機能ブロック構成を示す図である。ここでは、ＩＰ網対応部６０を例に説明するが、ＩＰ網対応部６１も同様の機能を有し、同様に動作する。図１９に示すように、ＩＰ網対応部６０は、変換部２０１、装置内部側ＩＰ通信インタフェース２０２、ＩＰ網側ＩＰ通信インタフェース２０３を有する。変換部２０１は、ＩＰアドレス／ポート番号変換表２２１を記憶し、管理する。
【００５９】
図１９に示す変換部２０１は、ＩＰアドレス／ポート番号変換表２２１に登録されたアドレス情報に従い、音声処理部５１，５２，５３或いは呼処理制御部３０からＩＰ網２への通信における送信元ＩＰアドレスを自身のＩＰ網側のＩＰアドレスに変換し、またＩＰ網２からユーザ端末側への通信における宛先アドレスとなる自身のＩＰアドレスを、音声処理部５１，５２，５３或いは呼処理制御部３０のＩＰアドレスに変換する。音声通信に関係するＩＰアドレス／ポート番号変換表２２１の情報は、呼処理制御部３０からの通知により登録内容を呼接続時、呼切断時、故障時等に動的に変更される。
【００６０】
また、変換部２０１は、必要に応じて音声処理部５１，５２，５３，…からの音声通信を監視し、通信が途絶えたときに音声処理部５１，５２，５３，…の故障として呼処理制御部３０に通知する。ここで、音声処理部５１，５２，５３，…の故障を音声処理部以外の装置、例えばＩＰ網対応部６０で検出することで故障検知の信頼性がさらに向上する。ＩＰ網対応部６０は、音声処理部５１，５２，５３，…と直接接続しているため、外部装置での検出に比べて故障検知の信頼性と即時性を上げるのに効果的である。
【００６１】
図１９において、装置内部側ＩＰ通信インタフェース２０２は、音声処理部或いは呼処理制御部との接続処理を行うインタフェース部である。また、ＩＰ網側ＩＰ通信インタフェース２０３は、ＩＰ網２との接続処理を行うインタフェース部である。
【００６２】
図２０はＩＰアドレス／ポート番号変換表の一例を示す図である。
ＩＰアドレス／ポート番号変換表２２１には、装置ＮＷ（内部ＮＷ）のＩＰアドレス、ポート番号とＩＰ網側（外部ＮＷ）のＩＰアドレス、ポート番号との対応、その状態に関する情報が記憶される。
【００６３】
例えば、図２０に示すＩＰアドレス／ポート番号変換表２２１において、呼処理制御部３０のＩＰアドレス（192.168.0.2）（図２のアドレスＧ）は、ＩＰ網２側に対してはＩＰアドレス（10.10.10.2）（図２のアドレスα）に変換されることが定義される。
また、図２の音声処理部５１のＩＰアドレス（192.168.0.4）（図２のアドレスＡ）は、ＩＰ網２側に対してはＩＰアドレス（10.10.10.2）（図２のアドレスα）に変換されることが図２０に示すＩＰアドレス／ポート番号変換表２２１に定義される。
【００６４】
次に、ＩＰ網対応部６０の動作について説明する。図２１は、ＩＰ網対応部６０の動作を説明するための図である。図２２は、ＩＰアドレス／ポート番号変換表の一例を示す図である。
呼制御に関する呼制御用情報は、ＩＰアドレス／ポート番号変換表２２１に静的に（常時）登録される。ここで、「装置ＮＷ（内部ＮＷ）」の「ＩＰアドレス」は呼制御処理部３０の呼制御用ＩＰアドレスを、「装置ＮＷ（内部ＮＷ）」の「ポート番号」は呼制御処理部３０の呼制御用ポート番号を、「ＩＰ網（外部ＮＷ）」の「ＩＰアドレス」はＩＰ網対応部６０のＩＰ網側ＩＰアドレスを、「ＩＰ網（外部ＮＷ）」の「ポート番号」は呼制御処理部の呼制御用ポート番号を示し、静的に登録される呼制御用情報とは、呼制御処理部３０のＩＰアドレスとポート番号と、ＩＰ網対応部６０のＩＰ網側のＩＰアドレスとポート番号を対応させることを示す。
【００６５】
ここで、静的に登録された呼制御用情報に従うと、呼処理制御部３０からの呼制御通信において、ＩＰアドレス／ポート番号変換表２２１の「装置ＮＷ（内部ＮＷ）」にある「ＩＰアドレス」及び「ポート番号」と、送信元ＩＰアドレス及びポート番号とが共に一致する場合に、送信元ＩＰアドレスとポート番号は、「ＩＰ網（外部ＮＷ）」の「ＩＰアドレス」と「ポート番号」に変換される。
また、ＩＰ網２（外部ＮＷ）からの呼制御通信は、ＩＰアドレス／ポート番号変換表２２１の「ＩＰ網（外部ＮＷ）」にある「ＩＰアドレス」及び「ポート番号」と、宛先ＩＰアドレス及びポート番号が共に一致する場合に、宛先ＩＰアドレスとポート番号は、「装置ＮＷ（内部ＮＷ）」の「ＩＰアドレス」と「ポート番号」に変換される。
【００６６】
ＩＰ網対応部６０の登録処理について説明する。
ＩＰ網対応部６０は、呼処理制御部３０より、登録通知（音声通信の「送信元ＩＰアドレス」（即ちこれは音声通信に使用する音声処理部のＩＰアドレスである）と「送信元ポート番号」）を受ける（ＳＴ７１）。登録通知を受信した変換部２０１は、ＩＰアドレス／ポート番号変換表２２１内に登録を行う（ＳＴ７２）。ここで、「装置ＮＷ（内部ＮＷ）」の「ＩＰアドレス」と「ポート番号」は登録通知の内容を、「ＩＰ網ＮＷ（外部ＮＷ）」の「ＩＰアドレス」は固定的にＩＰ網側のＩＰアドレスを、「ポート番号」は登録通知の内容を登録する。
【００６７】
例えば、図２２に示すＩＰアドレス／ポート番号変換表２２１において、「装置ＮＷ（内部ＮＷ）」のＩＰアドレス「（192.168.0.4）」とポート番号「１０２６」、及び「ＩＰ網ＮＷ（外部ＮＷ）」のポート番号「１０２６」は登録通知の内容であり、「ＩＰ網ＮＷ（外部ＮＷ）」のＩＰアドレスは固定的に使用するＩＰ網対応部６０のＩＰ網側のＩＰアドレスα「（10.10.10.2）」が登録される。
【００６８】
変換部２０１は、装置ＮＷ（内部ＮＷ）からの通信に対して、ＩＰアドレス／ポート番号変換表２２１の「装置ＮＷ（内部ＮＷ）」にある「ＩＰアドレス」と「ポート番号」に送信元ＩＰアドレスとポート番号が共に一致した信号において、送信元ＩＰアドレスとポート番号を、「ＩＰ網（外部ＮＷ）」の「ＩＰアドレス」と「ポート番号」に変換する（ＳＴ７３）。また、変換部２０１は、ＩＰ網２（外部ＮＷ）からの通信に対して、ＩＰアドレス／ポート番号変換表２２１の「ＩＰ網（外部ＮＷ）」にある「ＩＰアドレス」／「ポート番号」に宛先ＩＰアドレスとポート番号が共に一致した信号において、宛先ＩＰアドレスとポート番号を、「装置ＮＷ（内部ＮＷ）」の「ＩＰアドレス」／「ポート番号」に変換する（ＳＴ７４）。
【００６９】
次に、変換部２０１は、呼処理制御部３０から呼処理の解除通知を受けた場合、ＩＰアドレス／ポート番号変換表２２１の該当する呼の登録を削除することにより、該当する変換を停止する。
また、ＩＰアドレス／ポート番号変換表２２１に動的に登録している通信に対しては、変換部２０１は、必要に応じて音声処理部からの音声通信の断監視を実施することにより、音声処理部の故障を検知できるようにする。
【００７０】
音声処理部５１，５２，５３，…が故障したことを検知した場合、変換部２０１は呼処理制御部３０に故障検知を通知する。ここで、断監視の検出間隔はＩＰ網２や対向装置（ユーザ収容装置２２）の検出間隔に比べ充分に短時間に設定する。これによりＩＰ網２や対向装置での断検出による呼切断実施より前に切替を実施することが可能となる。
ＩＰ網対応部６０は、前記に述べた機能以外は、一般的なＬ３ＳＷ（レイヤ３スイッチ）として動作するものとする。
【００７１】
次に、音声処理部５１，５２，５３，…の機能と動作について説明する。
図２３は、音声処理部５１の機能ブロック構成図である。
なお、ここでは音声処理部５１を例に説明するが、他の音声処理部も同様の機能を有し、同様に動作する。
図２３に示すように、音声処理部５１は、処理部３０１、ＩＰ通信インタフェース３０２、対振り分け部インタフェース３０３を有する。
【００７２】
処理部３０１は、呼処理制御部３０より通知を受けた情報を、音声処理部管理情報３１１として格納し、その情報に従い、振り分け部４０，４１からの音声信号を、符号化、ＲＴＰ化、ＩＰ化し、ＩＰ網対応部６０，６１に送信すると共に、ＩＰ網対応部６０，６１からのＩＰ信号を逆手順で音声信号に変換する
図２４は、音声処理部管理情報３１１の一例を示す図である。音声処理部管理情報３１１は、音声信号を送信した振り分け部、チャネル番号、使用状態（使用／未使用）、ＳＳＲＣ、送信先ＩＰアドレス、送信先ポート番号、送信元ＩＰアドレス、送信元ポート番号などの情報からなる。これらの情報は、図６等に示す音声処理部管理表１１１、図９等に示す音声呼管理表１１４に記憶された情報と同様の情報である。
【００７３】
図２３において、ＩＰ通信インタフェース３０２は、ＩＰ網対応部６０，６１との接続処理を行うインタフェース部であり、一般的なＩＰ通信のインタフェースである。また、対振り分け部インタフェース３０３は、振り分け部４０，４１との接続処理を行うインタフェース部である。
【００７４】
図２５は、音声処理部の動作を説明するための図である。
音声処理部５１は、呼処理制御部３０より、登録通知を受け（ＳＴ８１）、音声処理部管理情報３１１に登録通知内容を登録する（ＳＴ８２）。図２６は、通知情報を登録した音声処理部管理情報３１１の一例を示す図である。ＳＴ８１によって通知を受けた情報をもとに、接続振り分け部は「０系」、使用するチャネル番号は「２ｃｈ」、使用状態は「使用」、ＳＳＲＣは「１２３５」、送信先ＩＰアドレスは「（10.10.10.11）」、送信先ポート番号は「３０００」、送信元ＩＰアドレスは「（192.168.0.4）」、送信元ポート番号が「１０２６」であることが音声処理部管理情報３１１に記憶される。
【００７５】
次に、処理部３０１は、音声処理部管理情報３１１に従って送受信処理を実施する（ＳＴ８３）。
送信処理の場合、処理部３０１は、登録されている振り分け部、チャネル番号からの音声信号を符号化し、符号化した音声信号を、登録されているＳＳＲＣ等の情報を用いてＲＴＰ化する。ＲＴＰ化した信号を、処理部３０１は、音声処理部管理情報３１１として登録されている送信先ＩＰアドレスとポート番号、送信元ＩＰアドレスとポート番号を用いて、ＩＰ化する。
【００７６】
処理部３０１は、ＩＰ化した信号を、送信元アドレスをもとにアドレス管理表を用いてNextHopを決定し送信する。図２７は、アドレス管理表の一例を示す図である。図２７に示すアドレス管理表では、送信元ＩＰアドレスとＩＰ化した信号を次に送信する送信先のＩＰアドレス（NextHop）を管理する。
また、ＳＴ８３における受信処理は、前記の送信処理の逆方向の処理を行い、ＩＰ網対応部６０，６１からのＩＰ信号を受け付けて音声信号に変換する。
【００７７】
また、呼処理制御部３０から呼の解除が通知された場合、処理部３０１は、音声処理部管理情報３１１において該当する呼の登録情報を削除することにより音声通信の送受信を停止する。
また、自身に故障が発生した場合は、処理部３０１は、呼処理制御部３０に故障した旨を送信する。
【００７８】
次に、振り分け部４０，４１の機能と動作について説明する。
図２８は、振り分け部４０の機能ブロック構成図である。
なお、ここでは振り分け部４０を例に説明するが、振り分け部４１も同様の機能を有し、同様に動作する。
図２８に示すように、振り分け部４０は接続部４０１を有する。接続部４０１は、呼処理制御部３０より、使用するユーザ回線対応部及び使用する音声処理部とチャネル番号の情報を通知され、通知されたチャネル番号のチャネルを用いて使用するユーザ回線対応部と使用する音声処理部との接続を実施する。
【００７９】
図２９は、振り分け部の動作を説明するための図である。振り分け部４０の接続部４０１は、使用するユーザ回線対応部の番号、音声処理部の番号、チャネル番号の接続通知を呼処理制御部３０より受け付け（ＳＴ９１）、前記接続通知に従って使用するユーザ回線対応部と使用する音声処理部とを接続する（ＳＴ９２）。これにより通信が可能となる。また、呼処理制御部３０より呼の解除通知を受けた場合、該当する接続を解除する。こうして、通信が終了する。
【００８０】
本実施形態によれば、音声処理部が複数存在する場合でも、ＩＰ網側に対してＩＰアドレスを最低２つに抑えることが可能となる。また、ＡＣＴ／ＡＣＴ（リンクアグリゲーション等）の方式をとった場合は、ＩＰ網側に対して最低１つのＩＰアドレスで対応できる
なお、前記の説明においてユーザ収容装置２２の代わりに一般ＶｏＩＰ（Voice over Internet Protocol）端末を接続した場合であっても、本実施の形態は適用可能である。ＶｏＩＰ端末は、音声信号をＩＰ信号に変換してＩＰ網２に送信する、或いは、ＩＰ網２からＩＰ信号を受信して音声信号に変換する端末であり、一般的な各機能部及び回線の冗長化を実施していない端末等をも含めた端末である。
【符号の説明】
【００８１】
１  音声通信システム
２  ＩＰ網
７  呼処理制御サーバ
１１，１２，１３，１４  ユーザ端末
２１、２２  ユーザ収容装置
３０  呼処理制御部
３１，３２，３３  ユーザ回線対応部
４０，４１  振り分け部
５１，５２，５３  音声処理部
６０，６１  ＩＰ網対応部
１０１  機能管理部
１０２  呼処理部
１０３  ＩＰ通信インタフェース部
１０４  制御通信インタフェース部
１１１  音声処理部管理表
１１２  ＩＰ網対応部管理表
１１３  振り分け部管理表
１１４  音声呼管理表
【図１】
2011182205.tif 000003
【図２】
2011182205.tif 000004
【図３】
2011182205.tif 000005
【図４】
2011182205.tif 000006
【図５】
2011182205.tif 000007
【図６】
2011182205.tif 000008
【図７】
2011182205.tif 000009
【図８】
2011182205.tif 000010
【図９】
2011182205.tif 000011
【図１０】
2011182205.tif 000012
【図１１】
2011182205.tif 000013
【図１２】
2011182205.tif 000014
【図１３】
2011182205.tif 000015
【図１４】
2011182205.tif 000016
【図１５】
2011182205.tif 000017
【図１６】
2011182205.tif 000018
【図１７】
2011182205.tif 000019
【図１８】
2011182205.tif 000020
【図１９】
2011182205.tif 000021
【図２０】
2011182205.tif 000022
【図２１】
2011182205.tif 000023
【図２２】
2011182205.tif 000024
【図２３】
2011182205.tif 000025
【図２４】
2011182205.tif 000026
【図２５】
2011182205.tif 000027
【図２６】
2011182205.tif 000028
【図２７】
2011182205.tif 000029
【図２８】
2011182205.tif 000030
【図２９】
2011182205.tif 000031